(57)【要約】      （修正有）【課題】ＬＰＧの使用量に応じた課金を行う情報処理装置、サーバ装置、情報処理方法、およびプログラムを提供する。【解決手段】情報処理装置Ｈ２は、時を特定する時情報と顧客を識別する顧客識別子とに対応付けられて、ＬＰＧボンベにおけるガスの使用に関するガス使用情報を含む２以上のＬＰＧ情報が格納されるＬＰＧ情報格納部と、顧客識別子に対応付けられたＬＰＧ情報を受信するＬＰＧ情報受信部と、ＬＰＧ情報受信部が受信したＬＰＧ情報を時情報と顧客識別子とに対応付けてＬＰＧ情報格納部に蓄積するＬＰＧ情報蓄積部とを備える。そしてＬＰＧ情報格納部の２以上のＬＰＧ情報を用いて、顧客ごとに、ＬＰＧの使用量に応じた費用を特定する費用情報を取得する費用情報取得部と、費用情報取得部が取得した費用情報を顧客識別子に対応付けて出力する費用情報出力部とを備える。【選択図】図１１
2020173706.tif 000002
【特許請求の範囲】
【請求項１】
時を特定する時情報と顧客を識別する顧客識別子とに対応付けられて、ＬＰＧボンベにおけるガスの使用に関するガス使用情報を含む２以上のＬＰＧ情報が格納されるＬＰＧ情報格納部と、
顧客識別子に対応付けられたＬＰＧ情報を受信するＬＰＧ情報受信部と、
前記ＬＰＧ情報受信部が受信したＬＰＧ情報を時情報と顧客識別子とに対応付けて前記ＬＰＧ情報格納部に蓄積するＬＰＧ情報蓄積部と、
前記ＬＰＧ情報格納部の２以上のＬＰＧ情報を用いて、１または２以上のＬＰＧの使用量に応じた費用を特定する費用情報を取得する費用情報取得部と、
前記費用情報取得部が取得した費用情報を出力する費用情報出力部とを具備する情報処理装置。
【請求項２】
事業者を識別する事業者識別子と当該事業者が担当する１以上の顧客の顧客識別子とに対応付けた１以上の事業者情報が格納される事業者情報格納部をさらに具備し、
前記費用情報取得部は、
一の事業者識別子に対応する１以上の顧客識別子を前記事業者情報格納部から取得し、当該１以上の各顧客識別子に対応付けられているガス使用情報を前記ＬＰＧ情報格納部から取得し、当該１以上のガス使用情報を用いて、一の事業者識別子に対応する費用を特定する費用情報を取得する請求項１記載の情報処理装置。
【請求項３】
ＬＰＧボンベの原材料費を特定する原材料費情報、ＬＰＧボンベの配送費用を特定する配送費用情報を含む費用算出元情報が格納される費用算出元情報格納部と、
前記費用算出元情報を用いて、ＬＰＧの単位使用量に応じた費用である単価を特定する価格情報を取得する価格情報取得部とをさらに具備し、
前記費用情報取得部は、
前記価格情報取得部が取得した価格情報が特定する単価と前記ＬＰＧの使用量とを用いて、前記費用情報を取得する請求項１または請求項２記載の情報処理装置。
【請求項４】
前記２以上のＬＰＧ情報は、ＬＰＧガスを特定する識別子であるＬＰＧガス媒体識別子に対応付けられており、
前記ＬＰＧ情報格納部を含み、エネルギー媒体の種類を特定する媒体識別子と顧客識別子とに対応付けて、当該エネルギー媒体の使用に関する媒体使用情報を含む１以上の媒体情報が格納される媒体情報格納部と、
媒体識別子に対応付けて、当該エネルギー媒体の単位を共通のエネルギー単位に変換する変換情報が格納されている変換情報格納部と、
顧客識別子ごとに、媒体識別子ごとに、当該顧客識別子に対応する媒体使用情報と当該媒体識別子に対応付く変換情報とを用いて、前記媒体使用情報を共通のエネルギー単位に変換し、共通のエネルギー単位におけるエネルギーの使用量を特定する共通単位使用情報を取得する共通単位使用情報取得部と、
前記共通単位使用情報取得部が取得したエネルギー媒体ごとの２以上の共通単位使用情報を加算し、エネルギーの総合的な使用量を特定する総合使用情報を顧客識別子ごとに算出する総合使用情報算出部と、
前記総合使用情報算出部が取得した総合使用情報を顧客識別子に対応付けて出力する総合使用情報出力部とをさらに具備する請求項１から請求項３いずれか一項に記載の情報処理装置。
【請求項５】
共通のエネルギー単位に対応するエネルギーの単価を特定する共通単位価格情報が格納される共通単位価格情報格納部と、
前記総合使用情報出力部が出力する総合使用情報と前記共通単位価格情報とを用いて、１以上の顧客識の複数のエネルギーの全体の使用に対する総合的な費用を特定する総合費用情報を取得する総合費用情報取得部と、
前記総合費用情報を出力する総合費用情報出力部とをさらに具備する請求項４記載の情報処理装置。
【請求項６】
前記２以上のＬＰＧ情報は、媒体であるＬＰＧガスを特定する識別子であるＬＰＧガス媒体識別子に対応付けられており、
前記ＬＰＧ情報格納部を含み、エネルギー媒体の種類を特定する媒体識別子と顧客識別子とに対応付けて、当該エネルギー媒体の使用に関する媒体使用情報を含む１以上の媒体情報が格納される媒体情報格納部と、
媒体識別子に対応付けて、当該エネルギー媒体の単位を共通のエネルギー単位に変換する変換情報が格納されている変換情報格納部と、
２以上の各媒体識別子に対応付けて、各エネルギー媒体の使用可能な量を特定する使用権利情報が格納される使用権利情報格納部と、
媒体識別子ごとに、媒体使用情報と当該媒体識別子に対応付く変換情報とを用いて、媒体使用情報を共通のエネルギー単位に変換し、共通単位使用情報を取得する共通単位使用情報取得部と、
一の媒体識別子に対応付く使用権利情報と共通単位使用情報との差異を特定する差異情報を取得する差異情報取得部と、
前記差異情報が特定する差異の量のエネルギーを使用する権利を渡す、または譲り受けるための処理である取引処理を行う取引処理部とをさらに具備する請求項１から請求項３いずれか一項に記載の情報処理装置。
【請求項７】
時を特定する時情報に対応付いた天候情報を受け付ける天候情報受付部をさらに具備し、
前記取引処理部は、
前記２以上の世帯のガス使用情報と前記天候情報とを用いて、前記時情報により特定される時の単位量のエネルギーの単価を特定する価格情報を取得する価格情報取得手段と、
前記差異情報が示す量のエネルギーを使用する権利を特定する使用権利情報と前記価格情報取得手段が取得した価格情報とを出力する権利出力手段とを具備する請求項６記載の情報処理装置。
【請求項８】
ＬＰＧボンベにおけるガスの使用に関するガス使用情報を含む情報であり、ＬＰＧボンベを識別するボンベ識別子に対応する情報であるＬＰＧ情報を取得する端末取得部と、前記端末取得部が取得したＬＰＧ情報を前記情報処理装置に送信する端末送信部とを具備するガス情報送信装置から、ボンベ識別子に対応付けられたＬＰＧ情報を受信するＬＰＧ情報受信部と、
前記ＬＰＧ情報受信部が受信したＬＰＧ情報を、前記ボンベ識別子に対応付けられた顧客識別子に対応付けて、前記ＬＰＧ情報格納部に蓄積するＬＰＧ情報蓄積部とをさらに具備する請求項１から請求項７いずれか一項に記載の情報処理装置。
【請求項９】
請求項７記載の情報処理装置の権利出力手段が出力した使用権利情報と価格情報とを対応付けて格納されるサーバ格納部と、
前記サーバ格納部に格納されている使用権利情報と価格情報とを出力するサーバ出力部と、
ユーザ識別子とエネルギーの量を特定する量情報とを有する購入指示を受信するサーバ受信部と、
前記購入指示に応じて、前記量情報が特定する量のエネルギーを使用する権利を前記価格情報が特定する単価で購入予約するための先物取引処理を行うサーバ処理部をさらに具備するサーバ装置。
【請求項１０】
前記サーバ処理部は、
前記購入指示に応じて、前記サーバ格納部に格納されている価格情報が特定する単価で、前記量情報が特定する量のエネルギーを購入予約するための先物取引処理を行う先物取引手段と、
前記購入指示の受け付けた場合に、前記サーバ格納部に格納されている価格情報を変更した価格情報を取得し、当該価格情報を前記サーバ格納部に蓄積する価格変更手段と、
前記サーバ出力部は、
前記価格変更手段が変更した価格情報を出力する請求項９記載のサーバ装置。
【請求項１１】
時を特定する時情報と顧客を識別する顧客識別子とに対応付けられて、ＬＰＧボンベにおけるガスの使用に関するガス使用情報を含む２以上のＬＰＧ情報が格納されるＬＰＧ情報格納部と、ＬＰＧ情報受信部と、ＬＰＧ情報蓄積部と、費用情報取得部と、費用情報出力部とにより実現される情報処理方法であって、
前記ＬＰＧ情報受信部が、顧客識別子に対応付けられたＬＰＧ情報を受信するＬＰＧ情報受信ステップと、
前記ＬＰＧ情報蓄積部が、前記ＬＰＧ情報受信ステップで受信されたＬＰＧ情報を時情報と顧客識別子とに対応付けて前記ＬＰＧ情報格納部に蓄積するＬＰＧ情報蓄積ステップと、
前記費用情報取得部が、前記ＬＰＧ情報格納部の２以上のＬＰＧ情報を用いて、１または２以上の顧客のＬＰＧの使用量に応じた費用を特定する費用情報を取得する費用情報取得ステップと、
前記費用情報出力部が、前記費用取得ステップで取得された費用情報を出力する費用情報出力ステップとを具備する情報処理方法。
【請求項１２】
請求項７記載の情報処理装置の権利出力手段が出力した使用権利情報と価格情報とを対応付けて格納されるサーバ格納部と、サーバ出力部と、サーバ受信部と、サーバ処理部とにより実現される情報処理方法であって、
前記サーバ出力部が、前記サーバ格納部に格納されている使用権利情報と価格情報とを出力するサーバ出力ステップと、
前記サーバ受信部が、ユーザ識別子とエネルギーの量を特定する量情報とを有する購入指示を受信するサーバ受信ステップと、
前記サーバ処理部が、前記購入指示に応じて、前記量情報が特定する量のエネルギーを使用する権利を前記価格情報が特定する単価で購入予約するための先物取引処理を行うサーバ処理ステップとを具備する情報処理方法。
【請求項１３】
時を特定する時情報と顧客を識別する顧客識別子とに対応付けられて、ＬＰＧボンベにおけるガスの使用に関するガス使用情報を含む２以上のＬＰＧ情報が格納されるＬＰＧ情報格納部にアクセス可能なコンピュータを、
顧客識別子に対応付けられたＬＰＧ情報を受信するＬＰＧ情報受信部と、
前記ＬＰＧ情報受信部が受信したＬＰＧ情報を時情報と顧客識別子とに対応付けて前記ＬＰＧ情報格納部に蓄積するＬＰＧ情報蓄積部と、
前記ＬＰＧ情報格納部の２以上のＬＰＧ情報を用いて、１または２以上の顧客のＬＰＧの使用量に応じた費用を特定する費用情報を取得する費用情報取得部と、
前記費用情報取得部が取得した費用情報を出力する費用情報出力部として機能させるためのプログラム。
【請求項１４】
請求項７記載の情報処理装置の権利出力手段が出力した使用権利情報と価格情報とを対応付けて格納されるサーバ格納部にアクセス可能なコンピュータを、
前記サーバ格納部に格納されている使用権利情報と価格情報とを出力するサーバ出力部と、
ユーザ識別子とエネルギーの量を特定する量情報とを有する購入指示を受信するサーバ受信部と、
前記購入指示に応じて、前記量情報が特定する量のエネルギーを使用する権利を前記価格情報が特定する単価で購入予約するための先物取引処理を行うサーバ処理部として機能させるためのプログラム。
【発明の詳細な説明】
【技術分野】
【０００１】
本発明は、ＬＰＧの使用量に応じた費用を取得し、出力する情報処理装置等に関するものである。
【背景技術】
【０００２】
従来、ＬＰＧの販売の受託先の事業者に対して、ＬＰＧガスボンベの単位で課金されていた。
【０００３】
また、従来、ＬＰＧ販売店におけるプロパンガスメータの保守管理、検針データの集計や売上業務等を効率良く支援し、これらの業務にかかる労力と費用を削減することに貢献し得る技術があった（特許文献１参照）。
【０００４】
かかる技術は、需要家におけるガスメータの検針値を検針者が保有する携帯端末内に無線で収集する第１のステップと、収集した検針値を集計センタにネットワーク経由で送信する第２のステップと、集計センタにおいて販売店別の需要家検針値を集計し、さらに売上データを作成し、販売店宛にネットワーク経由、または通信回線経由または郵便によって送付する第３のステップと、前記集計センタにおいて需要家別の請求書、領収書発行等の料金回収にかかわる処理を行い、販売店に販売実績データを送付する第４のステップとを備える技術である。
【先行技術文献】
【特許文献】
【０００５】
【特許文献１】特開２００４−３１０６４５号公報
【発明の概要】
【発明が解決しようとする課題】
【０００６】
しかしながら、従来、上述した通り、ＬＰの販売の受託先の事業者に対して、ＬＰＧガスボンベの単位で課金されており、ＬＰＧの使用量に応じた課金を行うための技術も存在しなかった。
【課題を解決するための手段】
【０００７】
本第一の発明の情報処理装置は、時を特定する時情報と顧客を識別する顧客識別子とに対応付けられて、ＬＰＧボンベにおけるガスの使用に関するガス使用情報を含む２以上のＬＰＧ情報が格納されるＬＰＧ情報格納部と、顧客識別子に対応付けられたＬＰＧ情報を受信するＬＰＧ情報受信部と、ＬＰＧ情報受信部が受信したＬＰＧ情報を時情報と顧客識別子とに対応付けてＬＰＧ情報格納部に蓄積するＬＰＧ情報蓄積部と、ＬＰＧ情報格納部の２以上のＬＰＧ情報を用いて、１または２以上の顧客のＬＰＧの使用量に応じた費用を特定する費用情報を取得する費用情報取得部と、費用情報取得部が取得した費用情報を出力する費用情報出力部とを具備する情報処理装置である。
【０００８】
かかる構成により、ＬＰＧボンベを配送した顧客において、ＬＰＧの使用量に応じた顧客ごとの費用の算出が可能になる。
【０００９】
また、本第二の発明の情報処理装置は、第一の発明に対して、事業者を識別する事業者識別子と事業者が担当する１以上の顧客の顧客識別子とに対応付けた１以上の事業者情報が格納される事業者情報格納部をさらに具備し、費用情報取得部は、一の事業者識別子に対応する１以上の顧客識別子を事業者情報格納部から取得し、１以上の各顧客識別子に対応付けられているガス使用情報をＬＰＧ情報格納部から取得し、１以上のガス使用情報を用いて、一の事業者識別子に対応する費用を特定する費用情報を取得する情報処理装置である。
【００１０】
かかる構成により、事業者が担当する１以上の顧客のＬＰＧの使用量に応じた費用であり、事業者に対する費用の算出が可能になる。  また、本第三の発明の情報処理装置は、第一または第二の発明に対して、ＬＰＧボンベの原材料費を特定する原材料費情報、ＬＰＧボンベの配送費用を特定する配送費用情報を含む費用算出元情報が格納される費用算出元情報格納部と、費用算出元情報を用いて、ＬＰＧの単位使用量に応じた費用である単価を特定する価格情報を取得する価格情報取得部とをさらに具備し、費用情報取得部は、価格情報取得部が取得した価格情報が特定する単価とＬＰＧの使用量とを用いて、費用情報を取得する情報処理装置である。
【００１１】
かかる構成により、顧客ごとのＬＰＧの使用量に応じた費用が適切に取得できる。
【００１２】
また、本第四の発明の情報処理装置は、第一から第三いずれか１つの発明に対して、２以上のＬＰＧ情報は、ＬＰＧガスを特定する識別子であるＬＰＧガス媒体識別子に対応付けられており、ＬＰＧ情報格納部を含み、エネルギー媒体の種類を特定する媒体識別子と顧客識別子とに対応付けて、エネルギー媒体の使用に関する媒体使用情報を含む１以上の媒体情報が格納される媒体情報格納部と、媒体識別子に対応付けて、エネルギー媒体の単位を共通のエネルギー単位に変換する変換情報が格納されている変換情報格納部と、顧客識別子ごとに、媒体識別子ごとに、顧客識別子に対応する媒体使用情報と媒体識別子に対応付く変換情報とを用いて、媒体使用情報を共通のエネルギー単位に変換し、共通のエネルギー単位におけるエネルギーの使用量を特定する共通単位使用情報を取得する共通単位使用情報取得部と、共通単位使用情報取得部が取得したエネルギー媒体ごとの２以上の共通単位使用情報を加算し、エネルギーの総合的な使用量を特定する総合使用情報を顧客識別子ごとに算出する総合使用情報算出部と、総合使用情報算出部が取得した総合使用情報を顧客識別子に対応付けて出力する総合使用情報出力部とをさらに具備する情報処理装置である。
【００１３】
かかる構成により、ＬＰＧを含む２種類以上のエネルギー媒体の総合的な使用量が取得できる。
【００１４】
また、本第五の発明の情報処理装置は、第四の発明に対して、共通のエネルギー単位に対応するエネルギーの単価を特定する共通単位価格情報が格納される共通単位価格情報格納部と、総合使用情報出力部が出力する総合使用情報と共通単位価格情報とを用いて、１以上の顧客の複数のエネルギーの全体の使用に対する総合的な費用を特定する総合費用情報を取得する総合費用情報取得部と、総合費用情報を出力する総合費用情報出力部とをさらに具備する情報処理装置である。
【００１５】
かかる構成により、ＬＰＧを含む２種類以上のエネルギー媒体の総合的な使用量に応じた費用が取得できる。
【００１６】
また、本第六の発明の情報処理装置は、第一から第三いずれか１つの発明に対して、２以上のＬＰＧ情報は、媒体であるＬＰＧガスを特定する識別子であるＬＰＧガス媒体識別子に対応付けられており、ＬＰＧ情報格納部を含み、エネルギー媒体の種類を特定する媒体識別子と顧客識別子とに対応付けて、エネルギー媒体の使用に関する媒体使用情報を含む１以上の媒体情報が格納される媒体情報格納部と、媒体識別子に対応付けて、エネルギー媒体の単位を共通のエネルギー単位に変換する変換情報が格納されている変換情報格納部と、２以上の各媒体識別子に対応付けて、各エネルギー媒体の使用可能な量を特定する使用権利情報が格納される使用権利情報格納部と、媒体識別子ごとに、媒体使用情報と媒体識別子に対応付く変換情報とを用いて、媒体使用情報を共通のエネルギー単位に変換し、共通単位使用情報を取得する共通単位使用情報取得部と、一の媒体識別子に対応付く使用権利情報と共通単位使用情報との差異を特定する差異情報を取得する差異情報取得部と、差異情報が特定する差異の量のエネルギーを使用する権利を渡す、または譲り受けるための処理である取引処理を行う取引処理部とをさらに具備する情報処理装置である。
【００１７】
かかる構成により、異なるエネルギー媒体の間におけるエネルギーを使用する権利の取引が可能となる。
【００１８】
また、本第七の発明の情報処理装置は、第六の発明に対して、時を特定する時情報に対応付いた天候情報を受け付ける天候情報受付部をさらに具備し、取引処理部は、２以上の世帯のガス使用情報と天候情報とを用いて、時情報により特定される時の単位量のエネルギーの単価を特定する価格情報を取得する価格情報取得手段と、差異情報が示す量のエネルギーを使用する権利を特定する使用権利情報と価格情報取得手段が取得した価格情報とを出力する権利出力手段とを具備する情報処理装置である。
【００１９】
かかる構成により、天候情報を用いて、エネルギーの価格を自動決定できる。
【００２０】
また、本第八の発明の情報処理装置は、第一から第七いずれか１つの発明に対して、ＬＰＧボンベにおけるガスの使用に関するガス使用情報を含む情報であり、ＬＰＧボンベを識別するボンベ識別子に対応する情報であるＬＰＧ情報を取得する端末取得部と、端末取得部が取得したＬＰＧ情報を情報処理装置に送信する端末送信部とを具備するＬＰＧ情報送信装置から、ボンベ識別子に対応付けられたＬＰＧ情報を受信するＬＰＧ情報受信部と、ＬＰＧ情報受信部が受信したＬＰＧ情報を、ボンベ識別子に対応付けられた顧客識別子に対応付けて、ＬＰＧ情報格納部に蓄積するＬＰＧ情報蓄積部とをさらに具備する情報処理装置である。
【００２１】
かかる構成により、顧客のＬＰＧ情報を容易に収集できる。
【００２２】
また、本第九の発明のサーバ装置は、第七の発明である情報処理装置の権利出力手段が出力した使用権利情報と価格情報とを対応付けて格納されるサーバ格納部と、サーバ格納部に格納されている使用権利情報と価格情報とを出力するサーバ出力部と、ユーザ識別子とエネルギーの量を特定する量情報とを有する購入指示を受信するサーバ受信部と、購入指示に応じて、量情報が特定する量のエネルギーを使用する権利を価格情報が特定する単価で購入予約するための先物取引処理を行うサーバ処理部をさらに具備するサーバ装置である。
【００２３】
かかる構成により、エネルギーの先物取引がより適切にできる。
【００２４】
また、本第十の発明のサーバ装置は、第九の発明に対して、サーバ処理部は、購入指示に応じて、サーバ格納部に格納されている価格情報が特定する単価で、量情報が特定する量のエネルギーを購入予約するための先物取引処理を行う先物取引手段と、購入指示の受け付けた場合に、サーバ格納部に格納されている価格情報を変更した価格情報を取得し、価格情報をサーバ格納部に蓄積する価格変更手段と、サーバ出力部は、価格変更手段が変更した価格情報を出力するサーバ装置である。
【００２５】
かかる構成により、エネルギーの先物取引がより適切にできる。
【発明の効果】
【００２６】
本発明による情報処理装置によれば、ＬＰＧの使用量に応じた課金が行える。
【図面の簡単な説明】
【００２７】
【図１】実施の形態１における情報システムＡの概念図
【図２】同情報システムＡのブロック図
【図３】同情報処理装置Ａ２のブロック図
【図４】同ガス情報送信装置Ａ１の動作例について説明するフローチャート
【図５】同情報処理装置Ａ２の動作例について説明するフローチャート
【図６】同次配送者端末Ａ３の動作例について説明するフローチャート
【図７】同施設端末Ａ４の動作例について説明するフローチャート
【図８】同情報システムＡの処理の概念図
【図９】実施の形態２における情報システムＨの概念図
【図１０】同情報システムＨのブロック図
【図１１】同情報処理装置Ｈ２のブロック図
【図１２】同端末装置Ｈ１の動作例について説明するフローチャート
【図１３】同情報処理装置Ｈ２の動作例について説明するフローチャート
【図１４】同情報処理装置Ｈ２の動作例について説明するフローチャート
【図１５】同総合使用情報取得処理の例について説明するフローチャート
【図１６】同差異情報取得処理の例について説明するフローチャート
【図１７】同使用情報取得処理の例について説明するフローチャート
【図１８】同価格情報取得処理の例について説明するフローチャート
【図１９】同需要予測処理の例について説明するフローチャート
【図２０】同サーバ装置Ｈ３の動作例について説明するフローチャート
【図２１】上記実施の形態におけるコンピュータシステムの概観図
【図２２】同コンピュータシステムのブロック図
【発明を実施するための形態】
【００２８】
以下、情報処理装置等の実施形態について図面を参照して説明する。なお、実施の形態において同じ符号を付した構成要素は同様の動作を行うので、再度の説明を省略する場合がある。
【００２９】
（実施の形態１）
本実施の形態において、１または２以上のＬＰＧボンベにおけるガスの使用の情報を含むガス情報を取得し、送信する１以上のガス情報送信装置と情報処理装置とを具備する情報システムについて説明する。
【００３０】
また、本実施の形態において、２以上のガス情報を一度にまとめて送信するガス情報送信装置を具備する情報システムについて説明する。なお、ガス情報送信装置は、例えば、１時間に１回、後述するガス使用情報を取得し、１日に１回、１日分のガス使用情報を情報処理装置に送信する。また、ガス情報送信装置は、例えば、１時間に１回、後述するガス使用情報を取得し、１日に２回以上に分けて、１日分のガス使用情報を情報処理装置に送信しても良い。
【００３１】
さらに、本実施の形態において、後述する配送ボンベ情報、後述する配送車位置情報、後述する天候情報、後述するボンベ交換情報をも受信する情報処理装置を具備する情報システムについて説明する。
【００３２】
図１は、本実施の形態における情報システムＡの概念図である。情報システムＡは、１または２以上のガス情報送信装置Ａ１、情報処理装置Ａ２、１または２以上の配送者端末Ａ３、および１または２以上の施設端末Ａ４を備える。
【００３３】
ガス情報送信装置Ａ１は、ガス使用情報を含むガス情報を取得し、情報処理装置Ａ２に送信する装置である。ガス情報送信装置Ａ１は、通信機能を有すれば良く、その種類は問わない。
【００３４】
情報処理装置Ａ２は、後述するガス情報等の情報を受信し、蓄積するサーバ装置である。ガス情報等とは、ガス情報のみでも良いし、ガス情報に加えて、後述する配送ボンベ情報、後述する配送車位置情報、後述するボンベ交換情報、天候情報のうちの１以上の情報でも良い。情報処理装置Ａ２は、いわゆるクラウドサーバ、ＡＳＰサーバにより実現され得るが、その種類は問わない。
【００３５】
配送者端末Ａ３は、配送者が利用する端末である。ただし、配送者端末Ａ３は、配送車に搭載されている端末でも良い。配送者端末Ａ３は、例えば、スマートフォン、タブレット端末、いわゆるパソコン等であるが、その種類は問わない。配送者端末Ａ３は、通信機能を有する。
【００３６】
施設端末Ａ４は、施設に存在する端末である。施設端末Ａ４は、例えば、スマートフォン、タブレット端末、いわゆるパソコン等であるが、その種類は問わない。施設端末Ａ４は、通信機能を有する。なお、施設とは、例えば、工場、デポステーションである。工場は、ガスボンベにガスを充填する施設である。また、デポステーションは、ガスボンベを配置している施設である。
【００３７】
図２は、本実施の形態における情報システムＡのブロック図である。図３は、情報システムＡを構成する情報処理装置Ａ２のブロック図である。
【００３８】
ガス情報送信装置Ａ１は、端末格納部Ａ１０、端末処理部Ａ１１、および端末送信部Ａ１２を備える。端末処理部Ａ１１は、端末取得部Ａ１１１、および端末蓄積部Ａ１１２を備える。
【００３９】
情報処理装置Ａ２は、格納部Ａ２１、受信部Ａ２２、処理部Ａ２３、および出力部Ａ２４を備える。格納部Ａ２１は、顧客情報格納部Ａ２１１、ガス情報格納部Ａ２１２、配送ボンベ情報格納部Ａ２１３、配送車位置情報格納部Ａ２１４、および天候情報格納部Ａ２１５を備える。受信部Ａ２２は、ガス情報受信部Ａ２２１、配送ボンベ情報受信部Ａ２２２、配送車位置情報受信部Ａ２２３、天候情報受付部Ａ２２４、およびボンベ交換情報受信部Ａ２２５を備える。処理部Ａ２３は、ガス情報蓄積部Ａ２３１、配送ボンベ情報蓄積部Ａ２３２、配送車位置情報蓄積部Ａ２３３、天候情報蓄積部Ａ２３４、およびボンベ交換情報蓄積部Ａ２３５を備える。出力部Ａ２４は、処理結果出力部Ａ２４１を備える。
【００４０】
配送者端末Ａ３は、配送者格納部Ａ３１、配送者受付部Ａ３２、配送者処理部Ａ３３、配送者送信部Ａ３４、配送者受信部Ａ３５、および配送者出力部Ａ３６を備える。
【００４１】
施設端末Ａ４は、施設格納部Ａ４１、施設受付部Ａ４２、施設処理部Ａ４３、施設送信部Ａ４４、施設受信部Ａ４５、および施設出力部Ａ４６を備える。
【００４２】
ガス情報送信装置Ａ１を構成する端末格納部Ａ１０には、各種の情報が格納される。各種の情報は、例えば、後述するガス情報、顧客を識別する顧客識別子、ボンベを識別するボンベ識別子、時を特定する時情報である。時情報は、例えば、日付を特定する日付情報、日時を特定する時刻情報、時間帯を特定する時間帯情報である。時情報が時刻情報である場合、時情報は日付情報を含む、と考えても良い。
【００４３】
端末格納部Ａ１０には、２以上の時点のガス情報が格納される。ガス情報は、例えば、ボンベ識別子、顧客を識別する顧客識別子、および日付を示す日付情報に対応付いている情報である。ガス情報は、例えば、時情報に対応付いている。
ガス情報は、例えば、ガス使用情報を有する。ガス使用情報は、使用したガスに関する情報である。ガス使用情報は、例えば、単位時間のガス利用情報、ガス検針値情報のうちの１以上の情報を有する。単位時間のガス利用情報は、単位時間のガス利用量を特定する情報である。単位時間のガス利用情報は、例えば、１時間毎のガスの利用量を特定する情報である。ガス検針値情報は、例えば、ガスの検針値を特定する情報である。ガス検針値情報は、例えば、１時間毎のガスの検針値を特定する情報である。
【００４４】
端末格納部Ａ１０のガス情報は、通常、端末蓄積部Ａ１１２が蓄積した情報である。
【００４５】
端末処理部Ａ１１は、各種の処理を行う。各種の処理とは、例えば、端末取得部Ａ１１１、端末蓄積部Ａ１１２が行う処理である。各種の処理は、例えば、送信済みのガス情報を端末格納部Ａ１０から削除する処理である。
【００４６】
端末取得部Ａ１１１は、ＬＰＧボンベにおけるガスの使用に関するガス使用情報を含む情報であり、ＬＰＧボンベを識別するボンベ識別子に対応する情報であるガス情報を取得する。端末取得部Ａ１１１は、例えば、ガスメータからの情報を取得する。端末取得部Ａ１１１は、例えば、ガスメータから取得される検針値を取得し、前回の検針値と今回の検針値との差異であり、単位時間のガス利用量を特定するガス使用情報を算出する。
【００４７】
端末取得部Ａ１１１は、１日にｎ（ｎは２以上）回、単位時間ごとにガス使用情報を取得することは好適である。また、端末取得部Ａ１１１は、１時間ごとにガス使用情報を取得することは好適である。
【００４８】
端末取得部Ａ１１１は、図示しない時計から時情報を取得し、時情報と、取得したガス使用情報とを対応付けることは好適である。なお、図示しない時計は、ガス情報送信装置Ａ１に存在していても良いし、ＮＴＰサーバ等の外部の装置の時計でも良い。
【００４９】
端末蓄積部Ａ１１２は、端末取得部Ａ１１１が取得したガス情報を端末格納部Ａ１０に蓄積する。端末蓄積部Ａ１１２は、単位時間ごとに、端末取得部Ａ１１１が取得したガス情報を端末格納部Ａ１０に蓄積することは好適である。なお、単位時間は、例えば、１時間、３０分、２時間等である。また、端末蓄積部Ａ１１２は、顧客識別子、ボンベ識別子、時情報のうちの１または２以上の情報に対応付けて、端末取得部Ａ１１１が取得したガス情報を端末格納部Ａ１０に蓄積することは好適である。
【００５０】
端末送信部Ａ１２は、端末取得部Ａ１１１が取得したガス情報を情報処理装置Ａ２に送信する。端末取得部Ａ１１１が取得したガス情報は、端末格納部Ａ１０に格納されているガス情報でも良い。
【００５１】
端末送信部Ａ１２は、例えば、端末取得部Ａ１１１が取得したガス情報を１以上の識別子に対応付けて情報処理装置Ａ２に送信する。１以上の識別子は、例えば、顧客識別子、ボンベ識別子のうちの１以上である。
【００５２】
端末送信部Ａ１２は、予め決められた条件を満たした場合に、端末格納部Ａ１０の２以上の時点のガス情報を情報処理装置Ａ２に送信することは好適である。予め決められた条件とは、例えば、予め決められた時刻になること、予め決められた数のガス情報が端末格納部Ａ１０に格納されたこと等である。また、ボンベ識別子等に対応付けて送信することは、例えば、ボンベ識別子等と共に送信することであるが、情報の対応付けの方法は問わない。なお、ボンベ識別子は、通常、端末格納部Ａ１０に格納されている。また、使用するボンベが変更になった場合、自動的に、当該ボンベのボンベ識別子が端末格納部Ａ１０に蓄積されることは好適である。
【００５３】
ここで、２以上の時点のガス情報の送信とは、ガス情報と時情報の組を２組以上、送信しても良いし、時系列に並んだ２以上のガス情報を送信しても良い。
【００５４】
また、１日分のガス情報の送信とは、ガス情報と時情報の組を２４組、送信しても良いし、時系列に並んだ２４のガス情報を送信しても良い。
【００５５】
なお、一のガス情報は一のガス使用情報を含む情報であるが、一のガス情報を複数のガス使用情報を含む情報であるとしても良い。
【００５６】
端末送信部Ａ１２は、１日にｎ回未満の回数、端末格納部Ａ１０の２以上のガス情報を、情報処理装置Ａ２に送信することは好適である。
【００５７】
端末送信部Ａ１２は、１日に１回、ガス情報を情報処理装置Ａ２に送信することは好適である。なお、送信する時刻は問わない。
【００５８】
端末送信部Ａ１２は、条件に応じて、異なるタイミングでガス情報を送信しても良い。つまり、例えば、端末送信部Ａ１２は、通常であれば少ない頻度（第一の頻度）で、複数のガス情報を情報処理装置Ａ２に送信し、予め決められた条件を満たす場合は、通常よりも多い頻度（第二の頻度）でガス情報を情報処理装置Ａ２に送信しても良い。ここでの予め決められた条件は、例えば、予め決められた条件を満たすほど多くのガスを使用した（例えば、閾値以上または閾値より多くのガスを使用した）と、端末処理部Ａ１１により判断された場合である。また、予め決められた条件は、例えば、予め決められた条件を満たすほど長い時間、ガスの使用量が少ない（例えば、第一閾値の時間以上、閾値以下または閾値より少ないガスの使用量であった）と、端末処理部Ａ１１により判断された場合である。
【００５９】
また、端末送信部Ａ１２がガス情報を情報処理装置Ａ２に送信した後、端末処理部Ａ１１は、当該送信したガス情報を端末格納部Ａ１０から削除することは好適である。
【００６０】
情報処理装置Ａ２を構成する格納部Ａ２１には、各種の情報が格納される。各種の情報とは、例えば、後述する顧客情報、ガス情報、後述する配送ボンベ情報、後述する配送車位置情報、後述する天候情報である。
【００６１】
顧客情報格納部Ａ２１１には、顧客識別子に対応付けられて、１または２以上の顧客情報が格納される。顧客情報とは、顧客に関する情報である。顧客情報は、例えば、氏名、顧客位置情報、連絡先情報を有する。顧客位置情報は、顧客の位置を特定する情報である。顧客位置情報は、例えば、（緯度，経度）、住所等である。連絡先情報は、連絡先を特定する情報であり、例えば、メールアドレス、電話番号である。顧客情報は、例えば、ガスボンベを交換した日を特定する日付情報を有する。顧客情報は、例えば、ボンベ種類情報、ボンベ本数情報、ガス残量情報を有する。ボンベ種類情報は、顧客が使用するボンベの種類を特定する情報である。ボンベ本数情報は顧客の自宅に設置されるボンベの本数を特定する情報である。ガス残量情報は、顧客のガスボンベ内のガスの残量を特定する情報である。顧客情報は、例えば、顧客が使用する媒体を識別する１以上の媒体識別子（例えば、「ＬＰＧ」「電気」）、顧客が保有しているエネルギー器具の１以上の器具識別子（例えば、「ガス器具Ａ」「電気器具Ｂ」「器具Ｃ」）、顧客が契約しているエネルギー会社を特定する１以上の企業識別子（例えば、「企業Ａ」）を有する。顧客情報は、例えば、顧客が使用するＬＰＧボンベの量に関するボンベ量情報を有するＬＰＧボンベ情報を含んでも良い。なお、ＬＰＧボンベ情報は、ボンベ種類情報でも良い。
【００６２】
ガス情報格納部Ａ２１２には、２以上のガス情報が格納される。ガス情報格納部Ａ２１２には、通常、顧客識別子に対応付けられて、２以上のガス情報が格納される。ガス情報は、時を特定する時情報、ボンベ識別子のうちの１以上の情報に対応付けられていることは好適である。また、ここで、時情報、ボンベ識別子が対応付けられることは、時情報、ボンベ識別子とが分かる態様でガス情報が格納されていれば良い。
【００６３】
配送ボンベ情報格納部Ａ２１３は、１以上の配送ボンベ情報が格納される。配送ボンベ情報は、配送対象のボンベに関する情報である。配送ボンベ情報は、例えば、ボンベ種類情報、ボンベ状態情報を有する。配送ボンベ情報は、通常、ボンベの本数が把握できる情報である。つまり、配送ボンベ情報は、ボンベの本数を特定する本数情報を含んでも良いし、受信された配送ボンベ情報の数がボンベの本数を示すものでも良い。ボンベ種類情報とは、ボンベの種類を特定する情報であり、例えば、２０Ｋｇ、３０Ｋｇ、５０Ｋｇ等である。ボンベ状態情報は、ボンベが満タンか否かを示す情報である。配送ボンベ情報は、例えば、ボンベ識別子、配送車識別子、配送者識別子、入退場日時を特定する時刻情報のうちの１以上の情報に対応付いている。なお、入退場日時とは、ガスをボンベに充満させる工場への入場日時、または退場日時、ボンベを置いておくデポステーションへの入場日時、または退場日時である。
【００６４】
配送車位置情報格納部Ａ２１４は、配送車位置情報が格納される。配送車位置情報は、配送車の位置を特定する情報である。配送車位置情報は、例えば、（緯度，経度）であるが、最寄りの施設を特定する施設識別子等でも良い。施設は、例えば、工場、デポステーションである。配送車位置情報は、例えば、ボンベの配送車を識別する配送車識別子、または配送者識別子に対応付けられている。
【００６５】
天候情報格納部Ａ２１５は、天候に関する天候情報が格納される。天候情報は、例えば、天気、気温、湿度等のうちの１以上の情報である。天候情報は、時情報に対応付けられていることは好適である。時情報は、例えば、日付情報、時刻情報である。
【００６６】
受信部Ａ２２は、各種の情報を受信する。各種の情報とは、例えば、ガス情報、配送ボンベ情報、配送車位置情報、天候情報、ボンベ交換情報である。
【００６７】
ガス情報受信部Ａ２２１は、ガス情報をガス情報送信装置Ａ１から受信する。ガス情報受信部Ａ２２１は、ガス情報送信装置Ａ１から、例えば、顧客識別子またはボンベ識別子のうちの１以上の識別子に対応付けられたガス情報を受信する。
【００６８】
配送ボンベ情報受信部Ａ２２２は、配送ボンベ情報を受信する。配送ボンベ情報受信部Ａ２２２は、例えば、ボンベ識別子、配送車識別子、配送者識別子のうちの１以上の情報に対応付けて、配送ボンベ情報を受信する。配送ボンベ情報受信部Ａ２２２は、例えば、荷台識別子に対応付けて、配送ボンベ情報を受信する。荷台識別子とは、ボンベが載った荷台を識別する情報である。配送ボンベ情報受信部Ａ２２２は、例えば、入退場日時を特定する時刻情報に対応付いけて、配送ボンベ情報を受信する。入退場日時は、施設からの入退場の日時である。配送ボンベ情報受信部Ａ２２２は、例えば、施設端末Ａ４から配送ボンベ情報を受信する。配送ボンベ情報受信部Ａ２２２は、例えば、配送者端末Ａ３から配送ボンベ情報を受信する。なお、配送ボンベ情報の送信元は問わない。また、ボンベ識別子は、例えば、配送されるボンベに設置されている通信手段（例えば、ＲＦＩＤタグ）に格納されており、かかる通信手段から間接的または直接的に受信された情報である。ボンベ識別子は、例えば、ユーザにより施設端末Ａ４に入力され、施設端末Ａ４から送信された情報でも良い。配送車識別子は、例えば、配送車自体（例えば、トレーラーヘッド）に設置されている通信手段（例えば、ＲＦＩＤタグ）に格納されており、かかる通信手段から間接的または直接的に受信された情報である。なお、かかる場合、配送車識別子は、トレーラーヘッド識別子と言っても良。また、配送車識別子とトレーラーヘッド識別子とは別の情報でも良く、かかる場合、配送ボンベ情報受信部Ａ２２２は、トレーラーヘッド識別子にも対応付けて、配送ボンベ情報を受信しても良い。また、配送者識別子は、例えば、配送者が保持する配送者端末Ａ３から間接的または直接的に受信された情報である。また、配送者識別子は、例えば、配送車自体（例えば、トレーラーヘッド）に設置されている通信手段に格納されており、かかる通信手段から間接的または直接的に受信された情報でも良い。さらに、荷台識別子は、例えば、配送車の荷台に設置されている通信手段（例えば、ＲＦＩＤタグ）に格納されており、かかる通信手段から間接的または直接的に受信された情報である。
【００６９】
配送車位置情報受信部Ａ２２３は、配送車位置情報を受信する。配送車位置情報受信部Ａ２２３は、通常、配送車の端末である配送者端末Ａ３から配送車位置情報を受信するが、配送車位置情報の送信元は問わない。なお、配送者端末Ａ３は、配送者が保持している端末とは、別の端末であり、配送車に搭載されている端末でも良い。
【００７０】
配送車位置情報受信部Ａ２２３は、通常、配送車を識別する配送車識別子に対応付けて、配送車位置情報を受信する。ただし、配送車位置情報受信部Ａ２２３は、配送者識別子に対応付けて、配送車位置情報を受信しても良い。
【００７１】
天候情報受付部Ａ２２４は、天候情報を受け付ける。ここで、受け付けとは、例えば、図示しないサーバ装置からの受信であるが、キーボードやマウス、タッチパネルなどの入力デバイスから入力された情報の受け付け、光ディスクや磁気ディスク、半導体メモリなどの記録媒体から読み出された情報の受け付けなどを含む概念である、と考えても良い。なお、図示しないサーバ装置は、天候情報を格納している装置である。
【００７２】
ボンベ交換情報受信部Ａ２２５は、ボンベを交換したことを示す情報であるボンベ交換情報を受信する。ボンベ交換情報受信部Ａ２２５は、例えば、顧客識別子、ボンベ識別子のうちの１以上の情報と対になるボンベ交換情報を受信する。ボンベ交換情報受信部Ａ２２５は、例えば、ボンベ交換情報を配送者端末Ａから受信する。ただし、ボンベ交換情報の送信元は問わない。
【００７３】
処理部Ａ２３は、ガス情報格納部Ａ２１２の２以上のガス情報を用いて、予め決められた処理を行う。予め決められた処理とは、例えば、後述する配送日予測処理、後述する配送制御処理、後述する先物取引処理、後述する住居滞在処理、後述するエネルギー最適プラン提示処理、後述する世帯信用度取得処理、統計処理などである。統計処理とは、複数のガス情報に対する統計処理である。統計処理とは、複数のガス情報から、ある期間の一世帯の平均的なガスの使用量を算出する処理、ある期間のガスの使用量の累積値を算出する処理、ガスの使用量の推移のグラフを取得する処理等である。なお、配送日予測処理、配送制御処理、先物取引処理、住居滞在処理、エネルギー最適プラン提示処理、世帯信用度取得処理について、実施の形態２以降で説明する。なお、配送日予測処理とは、世帯へのガスボンベの配送日を予測する処理である。配送制御処理とは、ガス欠等になった世帯に、ガスボンベを配送するための処理である。先物取引処理とは、ガスの価格を決定し、先物取引を支援するための処理である。住居滞在処理とは、住居に住民が存在するか否かに関する情報を出力する処理である。エネルギー最適プラン提示処理とは、適切なエネルギーのプランを提示する処理である。世帯信用度取得処理とは、世帯の信用度を取得し、出力する処理である。
【００７４】
処理部Ａ２３は、例えば、配送ボンベ情報格納部Ａ２１３に格納されている配送ボンベ情報をも用いて、予め決められた処理を行う。予め決められた処理は、例えば、配送制御処理である。
【００７５】
処理部Ａ２３は、例えば、配送車位置情報格納部Ａ２１４に格納されている配送車位置情報を用いて、予め決められた処理を行う。予め決められた処理とは、例えば、配送制御処理である。
【００７６】
処理部Ａ２３は、天候情報格納部Ａ２１５に格納されている天候情報を用いて、予め決められた処理を行う。予め決められた処理は、例えば、配送日予測処理、先物取引処理、エネルギー最適プラン提示処理である。
【００７７】
ガス情報蓄積部Ａ２３１は、ガス情報受信部Ａ２２１が受信したガス情報をガス情報格納部Ａ２１２に蓄積する。ガス情報蓄積部Ａ２３１は、ガス情報受信部Ａ２２１が受信したガス情報を、例えば、時情報と顧客識別子とボンベ識別子のうちの１以上の情報に対応付けてガス情報格納部Ａ２１２に蓄積する。なお、かかる時情報は、ガス情報送信装置Ａ１から受信された情報でも良いし、図示しない時計から取得された情報でも良い。
【００７８】
配送ボンベ情報蓄積部Ａ２３２は、配送ボンベ情報受信部Ａ２２２が受信した配送ボンベ情報を、配送ボンベ情報格納部Ａ２１３に蓄積する。配送ボンベ情報蓄積部Ａ２３２は、例えば、ボンベ識別子、配送車識別子、配送者識別子のうちの１以上の情報に対応付けて、配送ボンベ情報を配送ボンベ情報格納部Ａ２１３に蓄積する。
【００７９】
配送車位置情報蓄積部Ａ２３３は、配送車位置情報受信部Ａ２２３が受信した配送車位置情報を配送車位置情報格納部Ａ２１４に蓄積する。配送車位置情報蓄積部Ａ２３３は、配送車識別子または配送者識別子に対応付けて、配送車位置情報を配送車位置情報格納部Ａ２１４に蓄積する。
【００８０】
天候情報蓄積部Ａ２３４は、天候情報を天候情報格納部Ａ２１５に蓄積する。天候情報蓄積部Ａ２３４は、通常、時情報に対応付けて、天候情報を天候情報格納部Ａ２１５に蓄積する。なお、時情報は、受信部Ａ２２が受信した情報でも良いし、図示しない時計から取得しても良い。また、時情報は、日付情報でも良いし、時刻情報でも良い。
【００８１】
ボンベ交換情報蓄積部Ａ２３５は、ボンベ交換情報受信部Ａ２２５がボンベ交換情報を受信した場合に、顧客識別子とボンベ識別子のうちの１以上の情報と対になるガス情報が有するガス残量情報を、ガスの残量が満タンであることを特定する情報に更新する。
【００８２】
配送者端末Ａ３を構成する配送者格納部Ａ３１には、各種の情報が格納される。各種の情報は、例えば、配送者を識別する配送者識別子である。各種の情報は、例えば、配送車を識別する配送車識別子である。配送者識別子と配送車識別子とは同一の情報であっても良い。各種の情報は、例えば、ボンベ交換情報である。ボンベ交換情報とは、ボンベを交換したことを示す情報である。ボンベ交換情報は、例えば、顧客識別子とボンベ識別子のうちの１以上の識別子に対応付けられている。
【００８３】
配送者受付部Ａ３２は、各種の指示や情報を受け付ける。各種の指示や情報とは、例えば、ボンベ交換情報である。各種の指示や情報とは、例えば、ボンベ交換情報と、顧客識別子とボンベ識別子のうちの１以上の識別子である。なお、ある世帯のボンベを交換する場合、または交換した場合に、配送者は配送者端末Ａ３にボンベ交換情報を入力する。また、ボンベ交換情報は、例えば、ボタンの押下により入力されても良いし、フィールドへの情報入力により入力される等しても良い。
【００８４】
配送者は、ボンベ交換情報と共に、顧客識別子とボンベ識別子のうちの１以上の識別子を入力することは好適である。かかる場合、配送者受付部Ａ３２は、ボンベ交換情報と、顧客識別子とボンベ識別子のうちの１以上の識別子を受け付ける。
【００８５】
ボンベ交換情報等の入力手段は、タッチパネルやキーボードやマウスやメニュー画面によるもの等、何でも良い。配送者受付部Ａ３２は、タッチパネルやキーボード等の入力手段のデバイスドライバーや、メニュー画面の制御ソフトウェア等で実現され得る。
【００８６】
配送者処理部Ａ３３は、各種の処理を行う。各種の処理は、例えば、配送者受付部Ａ３２が受け付けた情報を送信する情報のデータ構造にする処理である。各種の処理は、例えば、配送者受付部Ａ３２がボンベ交換情報を受け付けた場合、当該ボンベ交換情報と、配送者格納部Ａ３１の配送者識別子と、入力されている顧客識別子とボンベ識別子のうちの１以上の識別子とを対応付けた情報を構成する処理である。各種の処理は、例えば、配送者受信部Ａ３５が受信した情報を出力する情報のデータ構造にする処理である。
【００８７】
配送者送信部Ａ３４は、ボンベ交換情報を、情報処理装置Ａ２に送信する。配送者送信部Ａ３４は、通常、顧客識別子とボンベ識別子のうちの１以上の識別子とを対応付けられたボンベ交換情報を、情報処理装置Ａ２に送信する。なお、配送者送信部Ａ３４は、ボンベ交換情報と共に配送者識別子をも送信することは好適である。
【００８８】
配送者受信部Ａ３５は、各種の情報を受信する。配送者受信部Ａ３５は、例えば、情報処理装置Ａ２から各種の情報を受信する。配送者受信部Ａ３５は、例えば、情報処理装置Ａ２から後述する顧客情報を受信する。なお、顧客情報は、顧客に関する情報であり、顧客識別子と対になる情報である。配送者受信部Ａ３５が受信する顧客情報は、例えば、ガスボンベの配送先の顧客に関する情報である。
【００８９】
配送者出力部Ａ３６は、各種の情報を出力する。各種の情報は、例えば、配送者処理部Ａ３３が構成した情報である。各種の情報は、例えば、顧客情報である。この顧客情報は、ガスボンベの配送先の顧客に関する情報である。この顧客情報は、顧客識別子、顧客位置情報、配送するガスボンベに関する情報（例えば、ガスボンベの種類を特定するボンベ種類情報、ガスボンベの本数等のうちの１以上の情報を有することは好適である。顧客位置情報は、顧客の位置を特定する情報である。顧客位置情報は、例えば、（緯度，経度）、住所等である。
【００９０】
ここで、出力とは、通常、ディスプレイへの表示であるが、プロジェクターを用いた投影、プリンタでの印字、音出力、外部の装置への送信、記録媒体への蓄積、他の処理装置や他のプログラムなどへの処理結果の引渡しなどを含む概念である、と考えても良い。
【００９１】
施設端末Ａ４を構成する施設格納部Ａ４１には、各種の情報が格納される。各種の情報とは、例えば、施設を識別する施設識別子である。施設格納部Ａ４１には、配送車の端末（例えば、ＲＦＩＤ）から受信された情報であり、配送車に搭載されているボンベに関する配送ボンベ情報が格納されることは好適である。配送ボンベ情報は、ボンベ識別子に対応付けている。配送ボンベ情報は、例えば、荷台識別子、入退場日時に対応付いていることは好適である。配送ボンベ情報は、例えば、ボンベ種類情報、ボンベ状態情報を有する。配送ボンベ情報は、配送されるボンベの本数を特定する情報を有することは好適である。
【００９２】
施設受付部Ａ４２は、各種の指示や情報を受け付ける。
【００９３】
施設処理部Ａ４３は、各種の処理を行う。各種の処理は、例えば、施設受信部Ａ４５が受信した情報を蓄積する処理である。施設処理部Ａ４３は、施設受信部Ａ４５が受信した配送ボンベ情報と識別子とを施設格納部Ａ４１に少なくとも一時蓄積する。なお、識別子は、例えば、ボンベ識別子、荷台識別子、配送車識別子、配送者識別子のうちの１以上の識別子である。
【００９４】
施設送信部Ａ４４は、各種の情報を送信する。施設送信部Ａ４４は、例えば、各種の情報を情報処理装置Ａ２に送信する。施設送信部Ａ４４は、例えば、配送ボンベ情報を識別子に対応付けて送信する。識別子は、例えば、ボンベ識別子、荷台識別子、配送車識別子、配送者識別子のうちの１以上の識別子である。
【００９５】
施設受信部Ａ４５は、各種の情報を受信する。施設受信部Ａ４５は、例えば、配送車の端末（例えば、ＲＦＩＤ）から各種の情報を受信する。施設受信部Ａ４５は、例えば、配送ボンベ情報を識別子に対応付けて受信する。識別子は、例えば、ボンベ識別子、荷台識別子、配送車識別子、配送者識別子のうちの１以上の識別子である。
【００９６】
施設出力部Ａ４６は、各種の情報を出力する。
【００９７】
端末格納部Ａ１０、格納部Ａ２１、顧客情報格納部Ａ２１１、ガス情報格納部Ａ２１２、配送ボンベ情報格納部Ａ２１３、配送車位置情報格納部Ａ２１４、天候情報格納部Ａ２１５、配送者格納部Ａ３１、および施設格納部Ａ４１は、不揮発性の記録媒体が好適であるが、揮発性の記録媒体でも実現可能である。
【００９８】
端末格納部Ａ１０等に情報が記憶される過程は問わない。例えば、記録媒体を介して情報が端末格納部Ａ１０等で記憶されるようになってもよく、通信回線等を介して送信された情報が端末格納部Ａ１０等で記憶されるようになってもよく、あるいは、入力デバイスを介して入力された情報が端末格納部Ａ１０等で記憶されるようになってもよい。
【００９９】
端末処理部Ａ１１、端末取得部Ａ１１１、端末蓄積部Ａ１１２、処理部Ａ２３、ガス情報蓄積部Ａ２３１、配送ボンベ情報蓄積部Ａ２３２、配送車位置情報蓄積部Ａ２３３、天候情報蓄積部Ａ２３４、ボンベ交換情報蓄積部Ａ２３５、配送者処理部Ａ３３、および施設処理部Ａ４３は、通常、ＭＰＵやメモリ等から実現され得る。端末処理部Ａ１１等の処理手順は、通常、ソフトウェアで実現され、当該ソフトウェアはＲＯＭ等の記録媒体に記録されている。但し、ハードウェア（専用回路）で実現しても良い。
【０１００】
端末送信部Ａ１２、出力部Ａ２４、処理結果出力部Ａ２４１、配送者送信部Ａ３４、および施設送信部Ａ４４は、通常、無線または有線の通信手段で実現されるが、放送手段で実現されても良い。
【０１０１】
受信部Ａ２２、ガス情報受信部Ａ２２１、配送ボンベ情報受信部Ａ２２２、配送車位置情報受信部Ａ２２３、天候情報受付部Ａ２２４、ボンベ交換情報受信部Ａ２２５、配送者受信部Ａ３５、および施設受信部Ａ４５は、通常、無線または有線の通信手段で実現されるが、放送を受信する手段で実現されても良い。
【０１０２】
配送者受付部Ａ３２、および施設受付部Ａ４２は、タッチパネルやキーボードやマウスやメニュー画面等により実現され得る。
【０１０３】
配送者出力部Ａ３６、および施設出力部Ａ４６は、ディスプレイやスピーカー等の出力デバイスを含むと考えても含まないと考えても良い。配送者出力部Ａ３６等は、出力デバイスのドライバーソフトまたは、出力デバイスのドライバーソフトと出力デバイス等で実現され得る。
【０１０４】
次に、情報システムＡの動作について説明する。まず、ガス情報送信装置Ａ１の動作例について、図４のフローチャートを用いて説明する。
【０１０５】
（ステップＳ４０１）端末処理部Ａ１１は、ガス使用情報を取得するタイミングであるか否かを判断する。ガス使用情報を取得するタイミングであればステップＳ４０２に行き、ガス使用情報を取得するタイミングでなければステップＳ４０７に行く。なお、例えば、１時間毎にガス使用情報を取得する場合、端末処理部Ａ１１は、図示しない時計から時刻情報を取得し、時刻情報が示す時刻が「Ｘ時００分」（Ｘは１から２４までの自然数）に合致した場合に、ガス使用情報を取得するタイミングである、と判断する。
【０１０６】
（ステップＳ４０２）端末取得部Ａ１１１は、図示しないガスメータからガス検針値情報を取得する。なお、かかる技術は公知技術である。なお、ガスメータとは、通常、ＬＰガスメータであり、設置からの流量積算を示すガス検針値を保持する装置である。
【０１０７】
（ステップＳ４０３）端末取得部Ａ１１１は、前回に取得したガス検針値情報と、今回、ステップＳ４０２により取得したガス検針値情報との差である、単位時間のガス利用量情報を算出する。なお、端末取得部Ａ１１１は、例えば、「単位時間のガス利用量情報＝前回に取得したガス検針値情報−ステップＳ４０２により取得したガス検針値情報」により、単位時間のガス利用量情報を取得する。
【０１０８】
（ステップＳ４０４）端末取得部Ａ１１１は、現在の時を示す時情報を図示しない時計から取得する。
【０１０９】
（ステップＳ４０５）端末取得部Ａ１１１は、蓄積するガス使用情報を構成する。
【０１１０】
（ステップＳ４０６）端末蓄積部Ａ１１２は、ステップＳ４０４で取得した時情報とステップＳ４０５で構成したガス使用情報とを、対応付けて蓄積する。ステップＳ４０１に戻る。なお、ガス使用情報等の蓄積先は、通常、端末格納部Ａ１０である。なお、端末蓄積部Ａ１１２は、ガス使用情報をボンベ識別子に対応付けて蓄積しても良い。かかる場合、端末取得部Ａ１１１は、ボンベ識別子をも取得する。
【０１１１】
（ステップＳ４０７）端末処理部Ａ１１は、ガス情報を送信するタイミングであるか否かを判断する。ガス情報を送信するタイミングであればステップＳ４０８に行き、ガス情報を送信するタイミングでなければステップＳ４０１に戻る。なお、例えば、１日に１回、ガス情報を送信する場合、端末処理部Ａ１１は、図示しない時計から時刻情報を取得し、時刻情報が示す時刻が予め決められた時刻（例えば、「２４時０１分」）を過ぎたと判断した場合に、ガス情報を送信するタイミングである、と判断する。なお、予め決められた時刻を過ぎたと判断した場合でも、通常、既に送信したガス情報は、再度、送信されない。また、端末処理部Ａ１１は、予め決められた時刻を過ぎたと判断した場合でも、通常、予め決められた期間（例えば、１日）が経過するまで、ガス情報を送信するタイミングであるとは判断しない。
【０１１２】
（ステップＳ４０８）端末処理部Ａ１１は、送信対象のガス使用情報等を端末格納部Ａ１０から取得する。ガス使用情報等とは、例えば、ガス使用情報と時情報との組の情報、またはガス使用情報のみ、またはガス使用情報とボンベ識別子、またはガス使用情報とボンベ識別子と時情報との組の情報である。
【０１１３】
（ステップＳ４０９）端末処理部Ａ１１は、端末格納部Ａ１０から顧客識別子を取得する。
【０１１４】
（ステップＳ４１０）端末処理部Ａ１１は、送信するガス情報等を構成する。ガス情報等とは、例えば、複数のガス使用情報等、１以上の識別子を有する。１以上の識別子は、例えば、顧客識別子、ボンベ識別子のうちの１以上の情報である。
【０１１５】
（ステップＳ４１１）端末送信部Ａ１２は、ステップＳ４１０で構成されたガス情報等を情報処理装置Ａ２に送信する。
【０１１６】
（ステップＳ４１２）端末処理部Ａ１１は、送信されたガス使用情報等を削除する。なお、ここで、送信したことを示すフラグを、送信されたガス使用情報等に対応付けて蓄積しても良い。かかるフラグの付加は、削除と同様に捕らえても良い。ステップＳ４０１に戻る。
【０１１７】
なお、図４フローチャートにおいて、ガス使用情報を蓄積する回数が、ガス情報を送信する回数より多かった。つまり、図４フローチャートにおいて、複数のガス使用情報をまとめて情報処理装置Ａ２に送信した。かかることにより、ガス情報送信装置Ａ１の電力消費が削減され、ガス情報送信装置Ａ１の電池交換の頻度を少なくできる等の効果がある。しかし、図４フローチャートにおいて、ガス使用情報を取得するごとに、ガス情報を送信しても良い。
【０１１８】
また、図４のフローチャートにおいて、電源オフや処理終了の割り込みにより処理は終了する。
【０１１９】
次に、情報処理装置Ａ２の動作について、図５のフローチャートを用いて説明する。
【０１２０】
（ステップＳ５０１）ガス情報受信部Ａ２２１は、ガス情報送信装置Ａ１から送信されたガス情報等を受信したか否かを判断する。ガス情報等を受信した場合はステップＳ５０２に行き、ガス情報等を受信しなかった場合はステップＳ５０４に行く。なお、ガス情報等とは、例えば、ガス情報と１以上の識別子である。１以上の識別子は、例えば、顧客識別子、ボンベ識別子のうちの１以上の情報である。
【０１２１】
（ステップＳ５０２）ガス情報蓄積部Ａ２３１は、ステップＳ５０１で受信されたガス情報等を用いて、蓄積するガス情報等を構成する。
【０１２２】
（ステップＳ５０３）ガス情報蓄積部Ａ２３１は、ステップＳ５０２で構成したガス情報等をガス情報格納部Ａ２１２に蓄積する。ステップＳ５０１に戻る。
【０１２３】
（ステップＳ５０４）配送ボンベ情報受信部Ａ２２２は、配送ボンベ情報等を受信したか否かを判断する。配送ボンベ情報等を受信した場合はステップＳ５０５に行き、配送ボンベ情報等を受信しなかった場合はステップＳ５０７に行く。なお、配送ボンベ情報等とは、例えば、配送ボンベ情報と１以上の識別子である。１以上の識別子は、例えば、ボンベ識別子、配送者識別子、配送車識別子のうちの１以上の情報である。
【０１２４】
（ステップＳ５０５）配送ボンベ情報蓄積部Ａ２３２は、ステップＳ５０４で受信された配送ボンベ情報等を用いて、蓄積する配送ボンベ情報等を構成する。
【０１２５】
（ステップＳ５０６）配送ボンベ情報蓄積部Ａ２３２は、ステップＳ５０５で構成した配送ボンベ情報等を配送ボンベ情報格納部Ａ２１３に蓄積する。ステップＳ５０１に戻る。
【０１２６】
（ステップＳ５０７）配送車位置情報受信部Ａ２２３は、配送車位置情報等を受信したか否かを判断する。配送車位置情報等を受信した場合はステップＳ５０８に行き、配送車位置情報等を受信しなかった場合はステップＳ５１０に行く。なお、配送車位置情報等とは、例えば、配送車位置情報と１以上の識別子である。１以上の識別子は、例えば、配送者識別子、配送車識別子のうちの１以上の情報である。
【０１２７】
（ステップＳ５０８）配送車位置情報蓄積部Ａ２３３は、ステップＳ５０７で受信された配送車位置情報等を用いて、蓄積する配送車位置情報等を構成する。
【０１２８】
（ステップＳ５０９）配送車位置情報蓄積部Ａ２３３は、ステップＳ５０８で構成した配送車位置情報等を配送車位置情報格納部Ａ２１４に蓄積する。ステップＳ５０１に戻る。
【０１２９】
（ステップＳ５１０）ボンベ交換情報受信部Ａ２２５は、ボンベ交換情報等を受信部したか否かを判断する。ボンベ交換情報等を受信した場合はステップＳ５１１に行き、ボンベ交換情報等を受信しなかった場合はステップＳ５１３に行く。なお、ボンベ交換情報等とは、例えば、ボンベ交換情報と１以上の識別子である。１以上の識別子は、例えば、顧客識別子、ボンベ識別子のうちの１以上の情報である。
【０１３０】
（ステップＳ５１１）ボンベ交換情報蓄積部Ａ２３５は、ステップＳ５１０で受信されたボンベ交換情報等を用いて、蓄積するボンベ交換情報等を構成する。
【０１３１】
（ステップＳ５１２）ボンベ交換情報蓄積部Ａ２３５は、ステップＳ５１１で構成したボンベ交換情報等を用いて、顧客情報格納部Ａ２１１のガス残量情報を更新する。ステップＳ５０１に戻る。
【０１３２】
（ステップＳ５１３）処理部Ａ２３は、天候情報を取得するタイミングであるか否かを判断する。天候情報を取得するタイミングであればステップＳ５１４に行き、天候情報を取得するタイミングでなければステップＳ５１６に行く。なお、天候情報を取得するタイミングは、例えば、１時間毎、１日毎等である。
【０１３３】
（ステップＳ５１４）天候情報受付部Ａ２２４は、天候情報等を図示しないサーバから取得する。
【０１３４】
（ステップＳ５１５）天候情報蓄積部Ａ２３４は、時情報に対応付けて、ステップＳ５１４で取得された天候情報等を天候情報格納部Ａ２１５に蓄積する。ステップＳ５０１に戻る。天候情報等は、例えば、天候情報と時情報である。
【０１３５】
（ステップＳ５１６）処理部Ａ２３は、ガス情報を用いて、処理を行うタイミングであるか否かを判断する。処理を行うタイミングである場合はステップＳ５１７に行き、処理を行うタイミングでない場合はステップＳ５０１に戻る。
【０１３６】
（ステップＳ５１７）処理部Ａ２３は、予め決められた処理を行う。予め決められた処理とは、例えば、例えば、配送日予測処理、配送制御処理、先物取引処理、住居滞在処理、エネルギー最適プラン提示処理、世帯信用度取得処理、統計処理などである。
【０１３７】
（ステップＳ５１８）処理部Ａ２３は、ステップＳ５１７における処理の結果を特定する情報である処理結果を取得する。
【０１３８】
（ステップＳ５１９）処理結果出力部Ａ２４１は、ステップＳ５１８で取得された処理結果を出力する。ステップＳ５０１に戻る。
【０１３９】
なお、図５のフローチャートにおいて、電源オフや処理終了の割り込みにより処理は終了する。
【０１４０】
次に、配送者端末Ａ３の動作例について、図６のフローチャートを用いて説明する。
【０１４１】
（ステップＳ６０１）配送者受付部Ａ３２は、情報を受け付けたか否かを判断する。情報を受け付けた場合はステップＳ６０２に行き、情報を受け付けなかった場合はステップＳ６０３に行く。なお、情報とは、例えば、顧客識別子、ボンベ識別子である。
【０１４２】
（ステップＳ６０２）配送者処理部Ａ３３は、ステップＳ６０１で受け付けられた情報を配送者格納部Ａ３１に、少なくとも一時蓄積する。ステップＳ６０１に戻る。
【０１４３】
（ステップＳ６０３）配送者受付部Ａ３２は、ボンベ交換情報を受け付けたか否かを判断する。ボンベ交換情報を受け付けた場合はステップＳ６０４に行き、ボンベ交換情報を受け付けなかった場合はステップＳ６０６に行く。
【０１４４】
（ステップＳ６０４）配送者処理部Ａ３３は、送信するボンベ交換情報等を構成する。なお、ボンベ交換情報等は、例えば、顧客識別子、ボンベ識別子を有する。
【０１４５】
（ステップＳ６０５）配送者送信部Ａ３４は、ステップＳ６０４で構成されたボンベ交換情報等を情報処理装置Ａ２に送信する。ステップＳ６０１に戻る。
【０１４６】
（ステップＳ６０６）配送者受信部Ａ３５は、情報を受信したか否かを判断する。情報を受信した場合はステップＳ６０７に行き、情報を受信しなかった場合はステップＳ６０９に行く。なお、情報とは、例えば、顧客情報、配送リストである。また、配送リストとは、配送者がガスボンベを配送すべき顧客のリストの情報である。
【０１４７】
（ステップＳ６０７）配送者処理部Ａ３３は、ステップＳ６０６で受信された情報を用いて、出力する情報を構成する。なお、出力する情報は、例えば、顧客情報、配送リスト、顧客情報が有する顧客位置情報により特定される位置を明示する地図、配送車位置情報により特定される位置から顧客位置情報により特定される位置までの経路探索した結果の経路情報である。なお、配送者処理部Ａ３３は、配送車位置情報を取得する機能（例えば、ＧＰＳ受信機の機能）、経路探索機能を有しても良い。
【０１４８】
（ステップＳ６０８）配送者出力部Ａ３６は、ステップＳ６０７で構成された情報を出力する。ステップＳ６０１に戻る。
【０１４９】
（ステップＳ６０９）配送者処理部Ａ３３は、配送車の位置情報を取得する。
【０１５０】
（ステップＳ６１０）配送者処理部Ａ３３は、配送車識別子を配送者格納部Ａ３１から取得する。
【０１５１】
（ステップＳ６１１）配送者処理部Ａ３３は、ステップＳ６０９で取得した配送車位置情報とステップＳ６１０で取得した配送車識別子とを用いて、送信する配送車位置情報等を構成する。
【０１５２】
（ステップＳ６１２）配送者送信部Ａ３４は、ステップＳ６１１で構成された配送車位置情報等を情報処理装置Ａ２に送信する。ステップＳ６０１に戻る。
【０１５３】
なお、図６のフローチャートにおいて、配送車位置情報を送信するタイミングは問わない。
【０１５４】
また、図６のフローチャートにおいて、電源オフや処理終了の割り込みにより処理は終了する。
【０１５５】
次に、施設端末Ａ４の動作例について、図７のフローチャートを用いて説明する。
【０１５６】
（ステップＳ７０１）施設受信部Ａ４５は、配送ボンベ情報等を受信したか否かを判断する。配送ボンベ情報等を受信した場合はステップＳ７０２に行き、配送ボンベ情報等を受信しなかった場合はステップＳ７０１に戻る。
【０１５７】
（ステップＳ７０２）施設処理部Ａ４３は、図示しない時計から時情報を取得する。
【０１５８】
（ステップＳ７０３）施設処理部Ａ４３は、ステップＳ７０１で受信された配送ボンベ情報等と、ステップＳ７０２で取得した時情報とを用いて、送信する配送ボンベ情報等を構成する。
【０１５９】
（ステップＳ７０４）施設送信部Ａ４４は、ステップＳ７０３で構成された配送ボンベ情報等を情報処理装置Ａ２に送信する。ステップＳ７０１に戻る。
【０１６０】
なお、図７のフローチャートにおいて、電源オフや処理終了の割り込みにより処理は終了する。
【０１６１】
以下、本実施の形態における情報システムＡの具体的な動作例について、情報システムＡの処理の概念図（図８）を用いて説明する。なお、情報システムＡのシステム構造の概念図は図１である。
【０１６２】
情報システムＡにおいて、上述したように、ガス情報送信装置Ａ１から情報処理装置Ａ２に、適切なタイミングでガス情報が送信され、情報処理装置Ａ２に蓄積される。また、配送者端末Ａ３から情報処理装置Ａ２に、配送車位置情報が送信され、情報処理装置Ａ２に蓄積される。また、施設端末Ａ４から情報処理装置Ａ２に、配送ボンベ情報が送信され、情報処理装置Ａ２に蓄積される。また、配送者端末Ａ３から情報処理装置Ａ２に、ボンベ交換情報が送信され、情報処理装置Ａ２に蓄積される。また、情報処理装置Ａ２は、図示しない天候サーバから天候情報を受信し、蓄積する。
【０１６３】
なお、配送車位置情報を送信する配送者端末Ａ３と、配送者端末Ａ３を送信する配送者端末Ａ３とは、配送者が使用する端末であるが、異なる端末でも良いことは言うまでもない。
【０１６４】
そして、情報処理装置Ａ２は、ＤＢ（Ａ２１）に蓄積された各種の情報を用いて、処理部Ａ２３が各種の処理を行う。各種の処理は、例えば、配送日予測処理、配送制御処理、先物取引処理、住居滞在処理、エネルギー最適プラン提示処理、世帯信用度取得処理である。また、各種の処理は、例えば、上述した統計処理の結果や蓄積された各種の情報を、単に出力する処理等でも良い。
【０１６５】
以上、本実施の形態によれば、ＬＰＧボンベの使用に関するガス使用情報を含むガス情報等を収集し、利用できる。
【０１６６】
また、本実施の形態によれば、ガス情報の送信を効率的に行うことにより、ガス情報送信装置Ａ１の電源の消費電力を抑えることができる。
【０１６７】
また、本実施の形態によれば、配送対象のボンベに関する配送ボンベ情報の情報をも収集し、利用できる。
【０１６８】
また、本実施の形態によれば、ボンベ種類情報を有する配送ボンベ情報の情報をも収集し、利用できる。
【０１６９】
また、本実施の形態によれば、天候情報をも取得し、利用できる。
【０１７０】
さらに、本実施の形態によれば、ボンベが交換された際に、ボンベ交換情報を受信し、利用できる。
【０１７１】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるガス情報送信装置Ａ１を実現するソフトウェアは、以下のようなプログラムである。つまり、このプログラムは、２以上の時点のガス情報が格納される端末格納部にアクセス可能なコンピュータを、ＬＰＧボンベにおけるガスの使用に関するガス使用情報を含む情報であり、ＬＰＧボンベを識別するボンベ識別子に対応する情報であるガス情報を取得する端末取得部と、前記端末取得部が取得したガス情報を前記端末格納部に蓄積する端末蓄積部と、予め決められた条件を満たした場合に、顧客識別子に対応付けて、前記端末格納部の２以上の時点のガス情報を前記情報処理装置に送信する端末送信部として機能させるプログラムである。
【０１７２】
また、本実施の形態における情報処理装置Ａ２を実現するソフトウェアは、以下のようなプログラムである。つまり、このプログラムは、時を特定する時情報と顧客識別子とに対応付けられて、２以上のガス情報が格納されるガス情報格納部にアクセス可能なコンピュータを、ＬＰＧボンベにおけるガスの使用に関するガス使用情報を含む情報であり、顧客識別子に対応する情報であるガス情報を取得する端末取得部と、前記端末取得部が取得したガス情報を前記情報処理装置に送信する端末送信部とを具備するガス情報送信装置から、顧客識別子に対応付けられたガス情報を受信するガス情報受信部と、前記ガス情報受信部が受信したガス情報を時情報と顧客識別子とに対応付けて前記ガス情報格納部に蓄積するガス情報蓄積部と、前記ガス情報格納部の２以上のガス情報を用いて、予め決められた処理を行う処理部として機能させるためのプログラムである。
【０１７３】
（実施の形態２）
本実施の形態において、顧客ごとに、ＬＰＧの使用量に応じた費用を取得し、出力する情報処理装置を具備する情報システムについて説明する。なお、本実施の形態において、ＬＰＧの原材料費、配送者によるＬＰＧボンベの配送費用を含む全体料金を用いて算出された単位使用量あたりの単価を用いて、ＬＰＧの使用量に応じた費用を取得し、出力する。配送者によるＬＰＧボンベの配送費用等の全体経費を考慮して、ＬＰＧの単価である価格情報を取得することにより、顧客の地域やＬＰＧボンベの設置場所等の顧客固有の環境に応じた料金の不平等が生じることを回避できる。
【０１７４】
また、本実施の形態において、ＬＰＧを含む２種類以上のエネルギー媒体の使用量を共通の単位の量に変換し、複数のエネルギーの全体の使用量を取得できる情報処理装置を具備する情報システムについて説明する。なお、共通の単位は、例えば、ＪＯＵＬＥであるが、問わない。
【０１７５】
また、本実施の形態において、顧客ごとに、複数のエネルギー媒体の全体の使用に対する総合的な量および費用を算出し、出力する情報処理装置を具備する情報システムについて説明する。
【０１７６】
また、本実施の形態において、ＬＰＧ、電気を含む２種類以上のエネルギー媒体の中の、各エネルギー媒体の使用可能な量に関する使用権利情報がエネルギー媒体ごとに格納されており、エネルギー媒体の実使用量と使用権利情報との差異を取得し、当該差異を用いて、残ったエネルギー量を消費する権利を販売する、または/および不足するエネルギー量を消費する権利を購入するための取引処理を支援する情報処理装置を具備する情報システムについて説明する。
【０１７７】
また、本実施の形態において、先物取引の支援を行うサーバ装置を具備する情報システムについて説明する。
【０１７８】
さらに、本実施の形態において、先物取引の結果に応じて、価格を変動させるサーバ装置を具備する情報システムについて説明する。
【０１７９】
図９は、本実施の形態における情報システムＨの概念図である。情報システムＨは、１または２以上の端末装置Ｈ１、情報処理装置Ｈ２、およびサーバ装置Ｈ３を備える。
【０１８０】
端末装置Ｈ１は、例えば、情報処理装置Ｈ２に動作の開始を指示する端末である。また、端末装置Ｈ１は、例えば、ＬＰＧの先物取引のための購入指示をサーバ装置Ｈ３に送信する端末である。端末装置Ｈ１は、例えば、スマートフォン、タブレット端末、いわゆるパソコン等であるが、その種類は問わない。
【０１８１】
情報処理装置Ｈ２は、顧客のＬＰＧの使用量に応じた費用を取得したり、顧客のエネルギーの使用量に応じた総合的な費用を取得したり、エネルギー媒体間の消費に関する権利を譲受したりする装置である。
【０１８２】
情報処理装置Ｈ２は、いわゆるクラウドサーバ、ＡＳＰサーバにより実現され得るが、その種類は問わない。なお、情報処理装置Ｈ２は、情報処理装置Ａ２の機能の全部または一部を有しても良い。つまり、情報処理装置Ｈ２は、先物取引処理等を行う情報処理装置Ａ２であっても良い。
【０１８３】
サーバ装置Ｈ３は、先物取引を支援する装置である。サーバ装置Ｈ３は、いわゆるクラウドサーバ、ＡＳＰサーバにより実現され得るが、その種類は問わない。
【０１８４】
図１０は、本実施の形態における情報システムＨのブロック図である。図１１は、情報システムＨを構成する情報処理装置Ｈ２のブロック図である。
【０１８５】
端末装置Ｈ１は、端末格納部Ｈ１１、端末受付部Ｈ１２、端末処理部Ｈ１３、端末送信部Ｈ１４、端末受信部Ｈ１５、および端末出力部Ｈ１６を備える。
【０１８６】
情報処理装置Ｈ２は、格納部Ｈ２１、受信部Ｈ２２、処理部Ｈ２３、および出力部Ｈ２４を備える。
【０１８７】
格納部Ｈ２１は、媒体情報格納部Ｈ２１１、費用算出元情報格納部Ｈ２１２、変換情報格納部Ｈ２１３、共通単位価格情報格納部Ｈ２１４、使用権利情報格納部Ｈ２１５、事業者情報格納部Ｈ２１６、および天候情報格納部Ａ２１５を備える。媒体情報格納部Ｈ２１１は、ＬＰＧ情報格納部Ｈ２１１１、ＬＮＧ情報格納部Ｈ２１１２、および電気情報格納部Ｈ２１１３を備える。なお、ＬＰＧ情報格納部Ｈ２１１１は、ガス情報格納部Ａ２１２と同じでも良い。
【０１８８】
受信部Ｈ２２は、ガス情報受信部Ａ２２１、天候情報受付部Ａ２２４、および購入指示受付部Ｈ２２１を備える。なお、ガス情報受信部Ａ２２１は、ＬＰＧ情報受信部Ａ２２１と言っても良い。
【０１８９】
処理部Ｈ２３は、ガス情報蓄積部Ａ２３１、天候情報蓄積部Ａ２３４、費用情報取得部Ｈ２３１、価格情報取得部Ｈ２３２、共通単位使用情報取得部Ｈ２３３、総合使用情報算出部Ｈ２３４、総合費用情報取得部Ｈ２３５、差異情報取得部Ｈ２３６、および取引処理部Ｈ２３７を備える。なお、ガス情報蓄積部Ａ２３１は、ＬＰＧ情報蓄積部Ａ２３１と言っても良い。価格情報取得部Ｈ２３２は、需要予測手段Ｈ２３２１、および価格情報取得手段Ｈ２３２２を備える。取引処理部Ｈ２３７は、価格情報取得手段Ｈ２３７１、および権利出力手段Ｈ２３７２を備える。
【０１９０】
出力部Ｈ２４は、総合使用情報出力部Ｈ２４１、費用情報出力部Ｈ２４２、および総合費用情報出力部Ｈ２４３を備える。
【０１９１】
サーバ装置Ｈ３は、サーバ格納部Ｈ３１、サーバ出力部Ｈ３２、サーバ受信部Ｈ３３、サーバ処理部Ｈ３４、およびサーバ送信部Ｈ３５を備える。サーバ処理部Ｈ３４は、先物取引手段Ｈ３４１、および価格変更手段Ｈ３４２を備える。
【０１９２】
端末装置Ｈ１を構成する端末格納部Ｈ１１には、各種の情報が格納される。各種の情報とは、例えば、ユーザ識別子、端末装置Ｈ１を識別する端末識別子である。なお、このユーザ識別子は、後述する購入指示を入力するユーザの識別情報である。ユーザ識別子は、例えば、ＩＤ、メールアドレス、電話番号等である。ユーザ識別子は、顧客識別子と同じでも良い。
【０１９３】
端末受付部Ｈ１２は、各種の情報や指示等を受け付ける。各種の情報や指示等は、例えば、後述する購入指示、動作開始指示である。なお、動作開始指示は、情報処理装置Ｈ２に対する動作の開始の指示である。動作開始指示は、例えば、顧客ごとのＬＰＧの使用量に応じた費用を取得する指示である。また、購入指示を受け付ける端末装置Ｈ１と、動作開始指示を受け付ける端末装置Ｈ１とは、異なることは好適である。購入指示を受け付ける端末装置Ｈ１は、先物取引を行うユーザの端末である。また、動作開始指示を受け付ける端末装置Ｈ１は、例えば、情報処理装置Ｈ２の運用者の端末である。
【０１９４】
各種の情報や指示等の入力手段は、タッチパネルやキーボードやマウスやメニュー画面によるもの等、何でも良い。端末受付部Ｈ１２は、タッチパネルやキーボード等の入力手段のデバイスドライバーや、メニュー画面の制御ソフトウェア等で実現され得る。
【０１９５】
端末処理部Ｈ１３は、各種の処理を行う。各種の処理とは、例えば、端末受付部Ｈ１２が受け付けた各種の情報や指示等を、送信する各種の情報や指示等のデータ構造にする処理である。また、各種の処理とは、例えば、端末受信部Ｈ１５が受信した情報を出力するデータ構造にする処理である。
【０１９６】
端末送信部Ｈ１４は、各種の情報を情報処理装置Ｈ２またはサーバ装置Ｈ３に送信する。各種の情報とは、例えば、後述する購入指示、動作開始指示である。
【０１９７】
端末受信部Ｈ１５は、各種の情報を受信する。各種の情報とは、例えば、先物取引処理の結果、先物取引のためのウェブページの画面情報、動作完了通知、後述する費用情報、後述する総合使用情報、後述する取引処理の結果、後述する先物取引処理の結果である。なお、動作完了通知とは、情報処理装置Ｈ２において、例えば、動作開始指示の送信に応じて、取引処理が完了したことを示す情報である。
【０１９８】
端末出力部Ｈ１６は、各種の情報を出力する。各種の情報とは、例えば、端末処理部Ｈ１３が構成した情報である。各種の情報は、例えば、先物取引のためのウェブページ、費用情報である。
【０１９９】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【０２００】
情報処理装置Ｈ２を格納部Ｈ２１には、各種の情報が格納される。各種の情報とは、例えば、ガス情報、天候情報、後述する媒体情報、後述する費用算出元情報、後述する変換情報、後述する共通単位価格情報、後述する使用権利情報、後述する事業者情報、後述するＬＰＧ情報、後述するＬＮＧ情報、後述する電気情報、後述する１以上の演算式（関数と言っても良い）、後述する学習器、後述する対応表等である。なお、ガス情報は、ＬＰＧ情報と言っても良い。
【０２０１】
各種の情報とは、例えば、関連情報である。関連情報は、ＬＰＧの価格の決定に影響を与え得る情報である。関連情報は、例えば、ガス価格情報、為替情報、運航状況情報である。
【０２０２】
ガス価格情報は、ガスの価格に関する情報である。ガス価格情報は、例えば、中東ガス価格を特定する中東ガス価格情報、ＭＢ(mont belvieu)ガス価格を特定するＭＢガス価格情報のうちの１以上の情報である。なお、中東ガス価格とは、中東産油国でのガスの価格である。また、ＭＢガス価格とは、テキサス州モントベルビュー市のＬＰＧ基地におけるプロパン取引価格である。
【０２０３】
為替情報は、為替に関する情報である。為替情報は、例えば、１ドルの円の価格である。
【０２０４】
運航状況情報は、ガスタンカーの運航状況に関する情報である。運航状況情報は、例えば、トラブルがあったことを示す情報、トラブルがないことを示す情報、閾値以内の期間（例えば、最近１ヶ月）においてトラブルがあったことを示す情報、閾値以内の期間（例えば、最近１ヶ月）においてトラブルがないことを示す情報、トラブルの内容または種類を特定する情報、トラブルの数を特定する情報である。
【０２０５】
媒体情報格納部Ｈ２１１には、１または２以上の媒体情報が格納される。媒体情報は、エネルギー媒体に関する情報である。エネルギー媒体とは、例えば、ＬＰＧ（液化石油ガス）、ＬＮＧ（液化天然ガス）、電気、水素等である。媒体情報は、通常、媒体識別子と顧客識別子とに対応付けられている。媒体情報は、エネルギー媒体の使用に関する媒体使用情報を含む。媒体使用情報は、通常、エネルギー媒体の使用量を特定できる情報である。媒体情報の例は、後述するＬＰＧ情報、後述するＬＮＧ情報、後述する電気情報である。また、媒体識別子は、エネルギー媒体の種類を特定する情報である。媒体識別子は、例えば、ＬＰＧガス媒体識別子、ＬＮＧガス媒体識別子、電気媒体識別子である。ＬＰＧガス媒体識別子は、例えば、「ＬＰＧ」、「１」である。ＬＮＧガス媒体識別子は、例えば、「ＬＰＧ」、「２」である。電気媒体識別子は、例えば、「電気」、「３」である。
【０２０６】
ＬＰＧ情報格納部Ｈ２１１１には、２以上のＬＰＧ情報が格納される。ＬＰＧ情報は、ＬＰＧに関する情報である。ＬＰＧ情報は、通常、時を特定する時情報と顧客識別子とに対応付けられている。ＬＰＧ情報は、ＬＰＧボンベにおけるガスの使用に関するガス使用情報を含む。なお、ガス使用情報は、適宜、ＬＰＧ使用情報と言う。また、２以上のＬＰＧ情報は、ＬＰＧガスを特定する識別子であるＬＰＧガス媒体識別子に対応付けられていることは好適である。
【０２０７】
ＬＮＧ情報格納部Ｈ２１１２には、２以上のＬＮＧ情報が格納される。ＬＮＧ情報は、ＬＮＧに関する情報である。ＬＮＧ情報は、通常、時を特定する時情報と顧客識別子とに対応付けられている。ＬＮＧ情報は、ＬＮＧ使用に関するＬＮＧ使用情報を含む。また、２以上のＬＮＧ情報は、ＬＮＧガスを特定する識別子であるＬＮＧガス媒体識別子に対応付けられていることは好適である。
【０２０８】
電気情報格納部Ｈ２１１３には、２以上の電気情報が格納される。電気情報は、電気に関する情報である。電気情報は、通常、時を特定する時情報と顧客識別子とに対応付けられている。電気情報は、電気の使用に関する電気使用情報を含む。また、２以上の電気情報は、電気を特定する識別子である電気媒体識別子に対応付けられていることは好適である。
【０２０９】
費用算出元情報格納部Ｈ２１２には、費用算出元情報が格納される。費用算出元情報は、ＬＰＧ事業に必要な経費を算出する元になる情報である。費用算出元情報は、ＬＰＧボンベの原材料費を特定する原材料費情報、ＬＰＧボンベの配送費用を特定する配送費用情報を含む。費用算出元情報は、例えば、ＬＰＧボンベへのガスの充填費用を特定する充填費用情報、ローリー配送費用を特定するローリー配送費用情報等のうちの１以上を有しても良い。
【０２１０】
変換情報格納部Ｈ２１３には、１または２以上の変換情報が格納されている。変換情報は、あるエネルギー媒体の単位（例えば、ＬＰＧのｍ３、ＬＮＧのｍ３、電気のｋＷ／ｈ）を共通のエネルギー単位（例えば、ＪＯＵＬＥ（ジュール））に変換するための情報である。変換情報は、例えば、乗算される際の係数、または演算式である。変換情報は、媒体識別子に対応付けられている。
【０２１１】
共通単位価格情報格納部Ｈ２１４は、共通単位価格情報が格納される。共通単位価格情報は、共通のエネルギー単位（例えば、ＪＯＵＬＥ）に対応するエネルギーの単価を特定する情報である。
【０２１２】
使用権利情報格納部Ｈ２１５は、２以上の使用権利情報が格納される。使用権利情報は、各エネルギー媒体の使用可能な量を特定する情報である。使用権利情報は、各エネルギー媒体の消費可能な量を特定する情報である、と言っても良い。２以上の各使用権利情報は、媒体識別子に対応付けられている。使用権利情報は、通常、共通単位（例えば、ＪＯＵＬＥ）における量を特定する情報である。ただし、使用権利情報は、各媒体の固有の単位における量を特定する情報であっても良い。
【０２１３】
事業者情報格納部Ｈ２１６には、１または２以上の事業者情報が格納される。事業者情報は、事業者が管理する顧客に関する情報である。事業者情報は、事業者識別子と１以上の顧客の顧客識別子とを対応付ける情報である。事業者情報は、事業者識別子と１以上の顧客の顧客識別子とを有しても良い。事業者識別子は、事業者を識別する情報である。事業者識別子は、例えば、事業者名、ＩＤ等である。事業者は、顧客（需要家と言っても良い）にエネルギー（例えば、ＬＰＧ）を販売する事業者である。事業者識別子と対になる１以上の顧客識別子は、事業者識別子で識別される事業者が担当する顧客の顧客識別子である。事業者が担当する顧客とは、事業者がエネルギーを販売する顧客である。
【０２１４】
受信部Ｈ２２は、各種の情報を受信する。各種の情報とは、例えば、ガス情報、天候情報、購入指示、動作開始指示である。
【０２１５】
購入指示受付部Ｈ２２１は、購入指示を端末装置Ｈ１から受信する。購入指示とは、エネルギーを使用する権利を購入する指示である。購入指示とは、先物取引の指示であっても良い。購入指示は、通常、ユーザ識別子とエネルギーの量を特定する量情報とを有する。
【０２１６】
処理部Ｈ２３は、各種の処理を行う。各種の処理とは、例えば、ガス情報蓄積部Ａ２３１、天候情報蓄積部Ａ２３４、費用情報取得部Ｈ２３１、価格情報取得部Ｈ２３２、共通単位使用情報取得部Ｈ２３３、総合使用情報算出部Ｈ２３４、総合使用情報出力部Ｈ２４１、総合費用情報取得部Ｈ２３５、差異情報取得部Ｈ２３６、取引処理部Ｈ２３７、需要予測手段Ｈ２３２１、価格情報取得手段Ｈ２３２２、価格情報取得手段Ｈ２３７１、権利出力手段Ｈ２３７２が行う処理である。
【０２１７】
費用情報取得部Ｈ２３１は、ＬＰＧ情報格納部Ｈ２１１１の２以上のＬＰＧ情報を用いて、顧１または２以上の顧客のＬＰＧの使用量に応じた費用を特定する費用情報を取得する。
【０２１８】
費用情報取得部Ｈ２３１は、例えば、各事業者に対する費用を特定する費用情報を取得する。
【０２１９】
また、費用情報取得部Ｈ２３１は、例えば、各顧客に対する費用を特定する費用情報を取得する。
【０２２０】
費用情報取得部Ｈ２３１は、例えば、１以上の各事業者識別子ごとに、各事業者識別子と対になる１以上の顧客識別子に対応付けられているガス使用情報を用いて、各事業者が担当する１以上の顧客の使用したＬＰＧの総量を算出し、当該算出した総量に対応する費用を特定する費用情報を取得する。
【０２２１】
費用情報取得部Ｈ２３１は、例えば、一の事業者識別子に対応する１以上の顧客識別子を事業者情報格納部Ｈ２１６から取得し、当該１以上の各顧客識別子に対応付けられているガス使用情報をＬＰＧ情報格納部Ｈ２１１１から取得し、当該１以上のガス使用情報を用いて、一の事業者識別子に対応する費用を特定する費用情報を取得する。
【０２２２】
費用情報取得部Ｈ２３１は、例えば、ＬＰＧ情報格納部Ｈ２１１１の２以上のＬＰＧ情報を用いて、顧客ごとに、ＬＰＧの使用量に応じた費用を特定する費用情報を取得する。
【０２２３】
費用情報取得部Ｈ２３１は、例えば、価格情報取得部Ｈ２３２が取得した価格情報が特定する単価とＬＰＧの使用量とを用いて、費用情報を取得する。
【０２２４】
費用情報取得部Ｈ２３１は、例えば、顧客識別子ごとの２以上の各ＬＰＧ情報が有するガス使用情報をＬＰＧ情報格納部Ｈ２１１１から取得し、当該２以上のガス使用情報の加算し、顧客識別子ごとの総合的なＬＰＧの使用量を取得する。費用情報取得部Ｈ２３１は、例えば、顧客識別子ごとの２以上の各ＬＰＧ情報が有するガス使用情報であり、今回の最新の検針値から前回の最終の検針値を減算し、総合的なＬＰＧの使用量を顧客ごとに取得する。なお、総合的なＬＰＧの使用量とは、費用の算出期間におけるＬＰＧの使用量である。
【０２２５】
そして、費用情報取得部Ｈ２３１は、例えば、価格情報取得部Ｈ２３２が取得した価格情報と総合的なＬＰＧの使用量とを乗算し、費用情報を取得する。費用情報取得部Ｈ２３１は、例えば、総合的なＬＰＧの使用量と対になる費用情報を、対応表から取得しても良い。かかる場合、対応表は、総合的なＬＰＧの使用量の幅の情報と費用情報とを有するレコードである２以上の対応情報を有する。また、かかる場合、対応表は、価格情報であると言える。
【０２２６】
価格情報取得部Ｈ２３２は、ＬＰＧの単位使用量に応じた費用である単価を特定する価格情報を取得する。
【０２２７】
価格情報取得部Ｈ２３２は、例えば、ＬＰＧの使用量の実績に応じて、価格情報を取得しても良い。かかる方法は、第一の価格情報取得方法である。
【０２２８】
また、価格情報取得部Ｈ２３２は、例えば、ＬＰＧの使用量の需要予測に基づいて、価格情報を取得しても良い。かかる方法は、第二の価格情報取得方法である。
（１）第一の価格情報取得方法について
【０２２９】
価格情報取得部Ｈ２３２は、費用算出元情報を用いて、ＬＰＧの単位使用量に応じた費用である単価を特定する価格情報を取得する。
【０２３０】
さらに具体的には、例えば、価格情報取得部Ｈ２３２は、予め決められた期間の２以上の世帯のガス使用情報をＬＰＧ情報格納部Ｈ２１１１から取得する。次に、価格情報取得部Ｈ２３２は、当該期間のガス使用情報の総和であるＬＰＧの総使用量を取得する。そして、例えば、価格情報取得部Ｈ２３２は、１または２以上の費用算出元情報を用いて、全ての経費を特定する全経費情報を取得する。なお、価格情報取得部Ｈ２３２は、例えば、２以上の費用算出元情報を加算し、全経費情報を取得する。また、予め決められた期間とは、価格情報の決定のために考慮される期間であり、ガス使用情報が取得される期間である。また、全経費情報には、例えば、人件費、設備費等も含まれる。
【０２３１】
次に、例えば、価格情報取得部Ｈ２３２は、全経費情報と利益情報と総使用量とを用いて、価格情報を取得する。価格情報取得部Ｈ２３２は、例えば、演算式「価格情報＝（全経費情報＋利益情報）／総使用量」により価格情報を取得する。かかる場合、利益情報は、利益の金額である。また、価格情報取得部Ｈ２３２は、例えば、演算式「価格情報＝（全経費情報×（１＋利益情報））／総使用量」により価格情報を取得する。かかる場合、利益情報は、利益率である。また、利益情報は、格納部Ｈ２１に格納されている、とする。
（２）第二の価格情報取得方法について
【０２３２】
価格情報取得部Ｈ２３２は、後述する需要予測手段Ｈ２３２１と価格情報取得手段Ｈ２３２２とにより、価格情報を取得しても良い。
【０２３３】
需要予測手段Ｈ２３２１は、２以上の世帯のガス使用情報を用いて、将来のＬＰＧの需要量である予測需要量を取得する。なお、予測需要量は、将来のＬＰＧの需要量であり、例えば、年間の総使用量であるが、期間は問わない。
【０２３４】
価格情報取得手段Ｈ２３２２は、２以上の世帯のガス使用情報と天候情報とを用いて、時情報により特定される時の単位量のエネルギーの単価を特定する価格情報を取得する。価格情報は、単位量（例えば、１ｍ３、１ｋｇ、１ＪＯＵＬＥ）の価格である。価格情報取得手段Ｈ２３２２は、通常、需要予測手段Ｈ２３２１が取得した予測需要量と天候情報とを用いて、時情報により特定される時の価格情報を取得する。
【０２３５】
以下、価格情報取得部Ｈ２３２の処理例の詳細について説明する。ここでは、需要予測手段Ｈ２３２１および、価格情報取得手段Ｈ２３２２により、価格情報が取得される場合を説明する。
（１）需要予測手段Ｈ２３２１による需要予測
【０２３６】
需要予測手段Ｈ２３２１は、２以上の世帯のガス使用情報を用いて、将来のＬＰＧの需要量である予測需要量を取得する。なお、予測需要量は、将来のＬＰＧの需要量であり、例えば、年間の総使用量であるが、期間は問わない。
【０２３７】
そして、予測需要量を取得する方法として、例えば、以下の３つの方法があり得る。
（１−１）演算による方法
【０２３８】
需要予測手段Ｈ２３２１は、例えば、２以上の世帯の過去のガス使用情報をＬＰＧ情報格納部Ｈ２１１１から取得する。そして、需要予測手段Ｈ２３２１は、例えば、当該２以上の世帯のガス使用情報から、２以上の世帯のガスの使用量の総量を取得する。次に、需要予測手段Ｈ２３２１は、例えば、当該総量をパラメータとする増加関数により、予測需要量を取得する。
（１−２）対応表による方法
【０２３９】
需要予測手段Ｈ２３２１は、例えば、２以上の世帯のガス使用情報から、２以上の世帯のガスの使用量の総量を取得し、当該総量に対応する予測需要量を対応表から取得する。なお、かかる対応表は、ガスの使用量の総量（過去の使用量の総数）の幅の情報と予測需要量とを有する２以上の対応情報を有する表である。
（１−３）機械学習による方法
【０２４０】
需要予測手段Ｈ２３２１は、例えば、機械学習により予測需要量を取得する。以下、機械学習を用いた予測需要量を取得するアルゴリズムの例について説明する。
【０２４１】
以下、学習器を構成する処理、および予測需要量を取得する処理を説明する。
（１−３−１）学習器を構成する処理
【０２４２】
需要予測手段Ｈ２３２１は、例えば、２以上の世帯の過去のガス使用情報をＬＰＧ情報格納部Ｈ２１１１から取得する。なお、過去のガス使用情報は、例えば、２以上の各年（例えば、２０１０年、２０１１年、・・・、２０１８年）の１月のガス使用情報である。
【０２４３】
また、需要予測手段Ｈ２３２１は、例えば、２以上の各年の２以上の世帯の過去のガス使用情報が示す使用量を加算し、年間のガス使用の総量を算出する。
【０２４４】
次に、需要予測手段Ｈ２３２１は、短期間（例えば、１月、１月〜３月、１月〜６月）のガス使用情報を入力とし、年間のガス使用の総量を出力とする学習器を、機械学習のアルゴリズムにより取得する。なお、当該短期間は、ガス使用の総量を取得する年間の中に含まれる期間であることは好適であるが、ガス使用の総量を取得する年間の中に含まれない期間でも良い。
【０２４５】
つまり、需要予測手段Ｈ２３２１は、各年について、短期間のガス使用情報と年間のガス使用の総量との組を取得し、複数の組を有する学習元情報を構成する。次に、需要予測手段Ｈ２３２１は、当該学習元情報を、機械学習の学習器を構成するためのモジュールに与え、当該モジュールを実行し、学習器を構成し、格納部Ｈ２１に蓄積する。なお、機械学習のアルゴリズムは、例えば、深層学習、ランダムフォレスト、ＳＶＲ等、問わない。また、機械学習のモジュールは、例えば、TensorFlowのモジュール、fasttext、tiny_svm、各種のrandomForest関数等、何でも良い。また、学習器は分類器と言っても良い。
【０２４６】
さらに、上記において、需要予測手段Ｈ２３２１は、学習器を構成するために、１ヶ月のガス使用情報を用いても良いし、２ヶ月以上の期間のガス使用情報を用いても良いし、例えば、前年の予め決められた期間（例えば、１ヶ月、３ヶ月、６ヶ月、１２ヶ月等）のガス使用情報を用いても良い。
（１−３−２）予測需要量を取得する処理
【０２４７】
需要予測手段Ｈ２３２１は、例えば、学習器を構成するために用いた期間（例えば、昨年以前の１月〜２月）のガス使用情報と同等の期間で、予測したい需要量に対応する期間（例えば、今年の１月〜２月）のガス使用情報を、ＬＰＧ情報格納部Ｈ２１１１から取得する。
【０２４８】
次に、需要予測手段Ｈ２３２１は、取得したガス使用情報と、格納部Ｈ２１の学習器とを用いて、機械学習のアルゴリズムにより、年間の予測需要量を取得する。つまり、需要予測手段Ｈ２３２１は、例えば、取得したガス使用情報の各使用量を要素とするベクトルを構成し、当該ベクトルと格納部Ｈ２１の学習器とを機械学習の予測を行うモジュールに与え、機械学習のアルゴリズムにより、例えば、年間の予測需要量を取得する。なお、かかる予測の場合の機械学習のアルゴリズムも、例えば、深層学習、ランダムフォレスト、ＳＶＲ等、問わない。また、機械学習の予測のモジュールも、例えば、TensorFlowのモジュール、fasttext、tiny_svm、各種のrandomForest関数等、何でも良い。なお、予測とは、ここでは、年間の予測需要量を取得する処理である。
（２）価格情報取得手段Ｈ２３２２による価格情報の決定処理
【０２４９】
価格情報取得手段Ｈ２３２２は、需要予測手段Ｈ２３２１が取得した予測需要量と天候情報とを用いて、１以上の各日のＬＰＧの価格情報を取得する。
【０２５０】
そして、予測需要量を用いて、価格情報を取得する方法として、例えば、以下の３つの方法があり得る。
（２−１）演算による方法
【０２５１】
価格情報取得手段Ｈ２３２２は、例えば、１以上の関連情報を格納部Ｈ２１から取得する。そして、価格情報取得手段Ｈ２３２２は、例えば、予測需要量と１以上の関連情報とをパラメータとして、演算式に代入し、演算式を実行し、基準となる価格情報を得る。
【０２５２】
次に、価格情報取得手段Ｈ２３２２は、例えば、価格決定の各日の天候情報が有する気温情報、天気情報のうちの１以上の情報を用いて、基準となる価格情報を補正し、補正後の価格情報を取得する。
【０２５３】
なお、価格情報取得手段Ｈ２３２２は、例えば、気温情報が予め決められた第一条件を満たすほど高い場合、価格情報を予め決められた分、または気温情報に応じて、引き下げる。また、価格情報取得手段Ｈ２３２２は、気温情報が予め決められた第二条件を満たすほど低い場合、価格情報を予め決められた分、または気温情報に応じて、引き上げる。なお、第一条件は、例えば、「格納部Ｈ２１に格納されている当該日の平均気温より閾値以上高いこと」または「格納部Ｈ２１に格納されている当該日の平均気温より閾値よりも高いこと」等である。また、第二条件は、例えば、「格納部Ｈ２１に格納されている当該日の平均気温より閾値以上低いこと」または「格納部Ｈ２１に格納されている当該日の平均気温より閾値よりも低いこと」等である。
【０２５４】
また、価格情報取得手段Ｈ２３２２は、例えば、天気情報に応じて、基準となる価格情報を補正し、補正後の価格情報を取得する。価格情報取得手段Ｈ２３２２は、例えば、天気情報が「雨」を示す情報である場合、価格情報を予め決められた分、引き上げる。また、価格情報取得手段Ｈ２３２２は、例えば、天気情報が「晴」を示す情報である場合、価格情報を予め決められた分、引き下げる。
（２−２）対応表による方法
【０２５５】
格納部Ｈ２１に、「予測需要量に関する条件」または「予測需要量と１以上の各関連情報とに関する条件」と、「価格情報」とを有する２以上の対応情報からなる対応表が格納されている、とする。なお、「予測需要量に関する条件」とは、例えば、予測需要量の幅（例えば、「ｙ１＜＝予測需要量＜ｙ２」）である。「予測需要量と１以上の各関連情報とに関する条件」」とは、例えば、予測需要量の幅（例えば、「ｙ１＜＝予測需要量＜ｙ２」）と為替の幅（例えば、「ｚ１＜＝円／１ドル＜ｚ２」）からなる条件である。
【０２５６】
そして、価格情報取得手段Ｈ２３２２は、例えば、１以上の関連情報を格納部Ｈ２１から取得する。そして、価格情報取得手段Ｈ２３２２は、例えば、予測需要量と１以上の関連情報とに対応する価格情報を対応表から取得し、基準となる価格情報を得る。
【０２５７】
次に、（２−１）と同様、価格情報取得手段Ｈ２３２２は、例えば、価格決定の各日の天候情報が有する気温情報、天気情報のうちの１以上の情報を用いて、基準となる価格情報を補正し、補正後の価格情報を取得する。
（２−３）機械学習による方法
（２−３−１）学習器を構成する処理
【０２５８】
価格情報取得手段Ｈ２３２２は、例えば、過去の予測需要量と過去の１以上の各関連情報と過去の天候情報、および過去の価格情報の組を、複数組、学習元情報として用いて、機械学習のアルゴリズムにより学習器を取得する。この学習器は、予測需要量と１以上の各関連情報と天候情報を入力とし、価格情報を出力とする学習器である。
【０２５９】
さらに具体的には、価格情報取得手段Ｈ２３２２は、例えば、上記の学習元情報を、機械学習の学習器を構成するためのモジュールに与え、当該モジュールを実行し、学習器を構成し、格納部Ｈ２１に蓄積する。なお、機械学習のアルゴリズムは、例えば、深層学習、ランダムフォレスト、ＳＶＲ等、問わない。また、機械学習のモジュールは、例えば、TensorFlowのモジュール、fasttext、tiny_svm、各種のrandomForest関数等、何でも良い。また、学習器は分類器と言っても良い。
（２−３−２）価格情報を取得する処理
【０２６０】
価格情報取得手段Ｈ２３２２は、例えば、１以上の関連情報を格納部Ｈ２１から取得する。また、価格情報取得手段Ｈ２３２２は、例えば、価格情報を取得する対象となる日の天候情報を、天候情報格納部Ａ２１５から取得する。そして、価格情報取得手段Ｈ２３２２は、予測需要量と１以上の関連情報と天候情報と、格納部Ｈ２１の学習器とを用いて、機械学習のアルゴリズムにより価格情報を取得する。つまり、例えば、価格情報取得手段Ｈ２３２２は、取得した予測需要量と１以上の関連情報と天候情報とからベクトルを構成し、当該ベクトルと格納部Ｈ２１の学習器とを機械学習の予測を行うモジュールに与え、機械学習のアルゴリズムにより、価格情報を取得する。なお、かかる予測の場合の機械学習のアルゴリズムも、例えば、深層学習、ランダムフォレスト、ＳＶＲ等、問わない。また、機械学習の予測のモジュールも、例えば、TensorFlowのモジュール、fasttext、tiny_svm、各種のrandomForest関数等、何でも良い。なお、予測とは、ここでは、価格情報を取得する処理である。
【０２６１】
共通単位使用情報取得部Ｈ２３３は、顧客識別子ごとに、媒体識別子ごとに、共通単位使用情報を取得する。共通単位使用情報とは、共通のエネルギー単位（例えば、ＪＯＵＬＥ）におけるエネルギーの使用量を特定する情報である。共通単位使用情報とは、共通のエネルギー単位（例えば、ＪＯＵＬＥ）に変換された使用量を特定する情報である。
共通単位使用情報取得部Ｈ２３３は、２以上の各媒体識別子ごとに、共通単位使用情報を取得することは好適である。
【０２６２】
共通単位使用情報取得部Ｈ２３３は、例えば、顧客識別子に対応する媒体使用情報と媒体識別子に対応付く変換情報とを用いて、共通単位使用情報を取得する。共通単位使用情報取得部Ｈ２３３は、例えば、「顧客識別子に対応する媒体使用情報×媒体識別子に対応付く変換情報」の乗算により、当該顧客識別子で識別される顧客が、当該媒体識別子で識別されるエネルギー媒体を消費した量であり、共通単位に換算した量を特定する情報である共通単位使用情報を取得する。
【０２６３】
共通単位使用情報取得部Ｈ２３３は、例えば、媒体識別子ごとに、媒体使用情報と媒体識別子に対応付く変換情報とを用いて、媒体使用情報を共通のエネルギー単位に変換し、共通単位使用情報を取得する。共通単位使用情報取得部Ｈ２３３は、例えば、媒体識別子と対になる対応表を参照し、媒体使用情報がマッチする対応情報を検索し、当該対応情報が有する共通単位使用情報を対応表から取得する。かかる場合、対応表は、２以上の対応情報を有する。また、対応情報は、媒体使用情報の幅の情報と共通単位使用情報とを有する。
【０２６４】
総合使用情報算出部Ｈ２３４は、共通単位使用情報取得部Ｈ２３３が取得したエネルギー媒体ごとの２以上の共通単位使用情報を加算し、エネルギーの総合的な使用量を特定する総合使用情報を顧客識別子ごとに算出する。
【０２６５】
総合費用情報取得部Ｈ２３５は、総合使用情報出力部Ｈ２４１が出力する総合使用情報と共通単位価格情報とを用いて、１以上の顧客の複数のエネルギーの全体の使用に対する総合的な費用を特定する総合費用情報を取得する。
【０２６６】
総合費用情報取得部Ｈ２３５は、例えば、事業者ごとに、総合的な費用を特定する総合費用情報を取得する。
【０２６７】
また、総合費用情報取得部Ｈ２３５は、例えば、顧客ごとに、総合的な費用を特定する総合費用情報を取得する。
【０２６８】
総合費用情報取得部Ｈ２３５は、例えば、総合使用情報出力部Ｈ２４１が出力する総合使用情報と共通単位価格情報とを用いて、一の事業者識別子と対になる１以上の顧客識別子を事業者情報格納部Ｈ２１６から取得し、当該１以上の各顧客識別子に対応する総合使用情報が取得した総合使用情報を加算し、当該一の事業者識別子に対応する総合的な使用量を取得する。そして、総合費用情報取得部Ｈ２３５は、例えば、当該総合的な使用量と共通単位価格情報とを用いて、当該一の事業者識別子で識別される事業者に対する総合的な費用を特定する総合費用情報を取得する。
【０２６９】
総合費用情報取得部Ｈ２３５は、例えば、総合使用情報出力部Ｈ２４１が出力する総合使用情報と共通単位価格情報とを用いて、顧客識別子ごとの複数のエネルギーの全体の使用に対する総合的な費用を特定する総合費用情報を取得する。
【０２７０】
総合費用情報取得部Ｈ２３５は、例えば、総合使用情報と共通単位価格情報とを乗算し、総合費用情報を取得する。
【０２７１】
総合費用情報取得部Ｈ２３５は、例えば、共通単位価格情報である対応表を参照し、総合使用情報にマッチする対応情報が有する共通単位価格情報を当該対応表から取得する。かかる場合、共通単位価格情報である対応表は、２以上の対応情報を有する。対応情報は、総合使用情報の幅を示す情報と共通単位価格情報とを有する。
【０２７２】
差異情報取得部Ｈ２３６は、媒体ごとに、使用した量と使用権利情報が特定する量との差異を示す差異情報を取得する。差異情報とは、消費可能な量の範囲のうち、どれぐらい余ったか、またはどれぐらい超過したかを示す情報である。
【０２７３】
差異情報取得部Ｈ２３６は、例えば、一の媒体識別子に対応付く使用権利情報と当該一の媒体識別子に対応付く共通単位使用情報との差異を特定する差異情報を取得する。
【０２７４】
差異情報取得部Ｈ２３６は、例えば、一の媒体識別子に対応付く使用権利情報と当該一の媒体識別子に対応付く使用情報から取得される使用量との差異を特定する差異情報を取得する。
【０２７５】
差異情報取得部Ｈ２３６は、２以上の各媒体識別子ごとに、差異情報を取得することは好適である。
【０２７６】
取引処理部Ｈ２３７は、差異情報が特定する差異の量のエネルギーを使用する権利を移動させるための取引処理を行う。取引処理は、かかる権利を渡す、または譲り受けるための処理である。取引処理とは、例えば、差異情報の送信、差異情報の出力、先物取引を行うプラットフォームであるサーバ装置Ｈ３への送信等である。取引処理部Ｈ２３７は、例えば、価格情報と差異情報とを出力しても良い。
【０２７７】
価格情報取得手段Ｈ２３７１は、２以上の世帯のガス使用情報と天候情報とを用いて、時情報により特定される時の単位量のエネルギーの単価を特定する価格情報を取得する。価格情報取得手段Ｈ２３７１は、価格情報取得部Ｈ２３２と同様の処理を行っても良い。つまり、価格情報取得手段Ｈ２３７１は存在せず、価格情報取得部Ｈ２３２が取得した価格情報を用いて、後述する権利出力手段Ｈ２３７２が処理を行っても良い。
【０２７８】
権利出力手段Ｈ２３７２は、差異情報が示す量のエネルギーを使用する権利を特定する使用権利情報と価格情報取得手段Ｈ２３２２が取得した価格情報とを出力する。使用権利情報は、差異情報が正の媒体の媒体識別子でも良い。差異情報が正の媒体とは、譲渡可能なエネルギー媒体である。また、ここでの出力とは、例えば、サーバ装置Ｈ３への送信である。また、出力とは、例えば、格納部Ｈ２１への蓄積である。
【０２７９】
出力部Ｈ２４は、各種の情報を出力する。各種の情報とは、例えば、総合使用情報、費用情報、価格情報である。ここでの出力とは、通常、端末装置Ｈ１への送信である。また、ここで、出力とは、例えば、格納部Ｈ２１への蓄積である。
【０２８０】
総合使用情報出力部Ｈ２４１は、総合使用情報算出部Ｈ２３４が取得した総合使用情報を顧客識別子に対応付けて出力する。ここでの出力とは、例えば、端末装置Ｈ１への送信、格納部Ｈ２１への蓄積等である。
【０２８１】
費用情報出力部Ｈ２４２は、費用情報取得部Ｈ２３１が取得した費用情報を出力する。ここでの出力とは、例えば、端末装置Ｈ１への送信、格納部Ｈ２１への蓄積等である。
【０２８２】
費用情報出力部Ｈ２４２は、費用情報取得部Ｈ２３１が取得した費用情報を、事業者識別子に対応付けて出力する。
【０２８３】
費用情報出力部Ｈ２４２は、例えば、費用情報取得部Ｈ２３１が取得した費用情報を顧客識別子に対応付けて出力する。
【０２８４】
総合費用情報出力部Ｈ２４３は、総合費用情報を出力する。総合費用情報出力部Ｈ２４３は、例えば、事業者識別子に対応付けて、総合費用情報を出力する。総合費用情報出力部Ｈ２４３は、総合費用情報を、顧客識別子に対応付けて出力する。ここでの出力とは、例えば、端末装置Ｈ１への送信、格納部Ｈ２１への蓄積等である。
【０２８５】
サーバ装置Ｈ３を構成するサーバ格納部Ｈ３１は、情報処理装置Ｈ２の権利出力手段Ｈ２３７２が出力した使用権利情報と価格情報とを対応付けて格納される。なお、１以上の各価格情報は、例えば、日付情報に対応付いている。
【０２８６】
サーバ出力部Ｈ３２は、サーバ格納部Ｈ３１に格納されている使用権利情報と価格情報とを出力する。サーバ出力部Ｈ３２は、例えば、ユーザの指示の受信により、使用権利情報と価格情報とを出力する。ここでの出力とは、通常、ユーザの図示しない端末への送付であるが、表示等の概念を含んでも良い。また、サーバ格納部Ｈ３１に格納されている使用権利情報と価格情報は、例えば、情報処理装置Ｈ２から受信された情報である。
【０２８７】
サーバ出力部Ｈ３２は、価格変更手段Ｈ３４２が変更した価格情報を出力する。ここでの出力は、例えば、サーバ格納部Ｈ３１への蓄積、端末装置Ｈ１への送信である。
【０２８８】
サーバ受信部Ｈ３３は、ユーザ識別子とエネルギーの量を特定する量情報とを有する購入指示を受信する。
【０２８９】
サーバ処理部Ｈ３４は、購入指示に応じて、量情報が特定する量のエネルギーを使用する権利を価格情報が特定する単価で購入予約するための先物取引処理を行う。
【０２９０】
先物取引手段Ｈ３４１は、サーバ購入指示に応じて、サーバ格納部Ｈ３１に格納されている価格情報が特定する単価で、量情報が特定する量のエネルギーを購入予約するための先物取引処理を行う。先物取引処理とは、価格情報が特定する価格で、数量情報が特定する数量のエネルギーを購入予約するための処理である。なお、購入指示は、例えば、日付情報、数量情報、価格情報を有する。また、購入指示は、例えば、媒体識別子を有する。また、購入指示は、例えば、ユーザ識別子に対応付いている。
【０２９１】
先物取引処理は、エネルギーの購入予約のための処理であれば何でも良い。先物取引処理は、例えば、購入者を識別するユーザ識別子、価格情報、数量情報、日付情報を有する先物取引情報を構成し、サーバ格納部Ｈ３１に蓄積する処理である。また、先物取引処理は、例えば、先物取引情報を、購入指示を送信した端末に送信する処理である。
【０２９２】
価格変更手段Ｈ３４２は、購入指示の受け付けた場合に、サーバ格納部Ｈ３１に格納されている価格情報を変更した価格情報を取得し、価格情報をサーバ格納部Ｈ３１に蓄積する。
【０２９３】
価格変更手段Ｈ３４２は、例えば、購入指示に応じて、当該購入指示に含まれる日付情報と対になる価格情報が特定する価格を上げ、更新した価格情報を取得し、当該更新した価格情報を当該日付情報と対に蓄積する。
【０２９４】
価格変更手段Ｈ３４２は、例えば、取引量に応じて、価格情報を変更することは好適である。価格変更手段Ｈ３４２は、例えば、該当する日の取引量をパラメータとする増加関数により、増加する価格の情報を得て、当該価格の情報を価格情報に加算し、更新する価格情報を得る。また、価格変更手段Ｈ３４２は、例えば、購入指示の受け付けに応じて、定額を価格情報に加算し、更新する価格情報を得る。また、価格変更手段Ｈ３４２は、例えば、予め決められた期間、取引が無いまたは取引が閾値以下である場合、定額を価格情報から減算し、更新する価格情報を得る。
【０２９５】
サーバ送信部Ｈ３５は、各種の情報を送信する。各種の情報は、例えば、先物取引情報、先物取引処理完了通知等である。先物取引処理完了通知とは、先物取引処理が完了した旨の情報である。なお、サーバ送信部Ｈ３５は、各種の情報を、例えば、端末装置Ｈ１に送信する。
【０２９６】
端末格納部Ｈ１１、格納部Ｈ２１、媒体情報格納部Ｈ２１１、費用算出元情報格納部Ｈ２１２、変換情報格納部Ｈ２１３、共通単位価格情報格納部Ｈ２１４、使用権利情報格納部Ｈ２１５、事業者情報格納部Ｈ２１６、天候情報格納部Ａ２１５、ＬＰＧ情報格納部Ｈ２１１１、ＬＮＧ情報格納部Ｈ２１１２、電気情報格納部Ｈ２１１３、およびサーバ格納部Ｈ３１は、不揮発性の記録媒体が好適であるが、揮発性の記録媒体でも実現可能である。
【０２９７】
端末格納部Ｈ１１等に情報が記憶される過程は問わない。例えば、記録媒体を介して情報が端末格納部Ｈ１１等で記憶されるようになってもよく、通信回線等を介して送信された情報が端末格納部Ｈ１１等で記憶されるようになってもよく、あるいは、入力デバイスを介して入力された情報が端末格納部Ｈ１１等で記憶されるようになってもよい。
【０２９８】
端末処理部Ｈ１３、処理部Ｈ２３、ガス情報蓄積部Ａ２３１、天候情報蓄積部Ａ２３４、費用情報取得部Ｈ２３１、価格情報取得部Ｈ２３２、共通単位使用情報取得部Ｈ２３３、総合使用情報算出部Ｈ２３４、総合使用情報出力部Ｈ２４１、総合費用情報取得部Ｈ２３５、差異情報取得部Ｈ２３６、取引処理部Ｈ２３７、需要予測手段Ｈ２３２１、価格情報取得手段Ｈ２３２２、価格情報取得手段Ｈ２３７１、サーバ処理部Ｈ３４、先物取引手段Ｈ３４１、および価格変更手段Ｈ３４２は、通常、ＭＰＵやメモリ等から実現され得る。端末処理部Ｈ１３の処理手順は、通常、ソフトウェアで実現され、当該ソフトウェアはＲＯＭ等の記録媒体に記録されている。但し、ハードウェア（専用回路）で実現しても良い。
【０２９９】
端末送信部Ｈ１４、権利出力手段Ｈ２３７２、出力部Ｈ２４、費用情報出力部Ｈ２４２、総合費用情報出力部Ｈ２４３、およびサーバ送信部Ｈ３５は、通常、無線または有線の通信手段で実現されるが、放送手段で実現されても良い。
【０３００】
端末受信部Ｈ１５、受信部Ｈ２２、ガス情報受信部Ａ２２１、天候情報受付部Ａ２２４、購入指示受付部Ｈ２２１、およびサーバ受信部Ｈ３３は、通常、無線または有線の通信手段で実現されるが、放送を受信する手段で実現されても良い。
【０３０１】
端末出力部Ｈ１６、およびサーバ出力部Ｈ３２は、ディスプレイやスピーカー等の出力デバイスを含むと考えても含まないと考えても良い。端末出力部Ｈ１６は、出力デバイスのドライバーソフトまたは、出力デバイスのドライバーソフトと出力デバイス等で実現され得る。
【０３０２】
次に、情報システムＨの動作例について説明する。まず、端末装置Ｈ１の動作例について、図１２のフローチャートを用いて説明する。
【０３０３】
（ステップＳ１２０１）端末受付部Ｈ１２は、購入指示を受け付けたか否かを判断する。購入指示を受け付けた場合はステップＳ１２０２に行き、購入指示を受け付けなかった場合はステップＳ１２０５に行く。
【０３０４】
（ステップＳ１２０２）端末処理部Ｈ１３は、ステップＳ１２０１で受け付けた購入指示を、送信する購入指示の構造にする。次に、端末送信部Ｈ１４は、購入指示をサーバ装置Ｈ３に送信する。
【０３０５】
（ステップＳ１２０３）端末受信部Ｈ１５は、先物取引処理完了通知を受信したか否かを判断する。先物取引処理完了通知を受信した場合はステップＳ１２０４に行き、先物取引処理完了通知を受信しなかった場合はステップＳ１２０３に戻る。
【０３０６】
（ステップＳ１２０４）端末処理部Ｈ１３は、ステップＳ１２０３で受信された先物取引処理完了通知を、出力する情報の構造にする。端末出力部Ｈ１６は、当該先物取引処理完了通知を出力する。ステップＳ１２０１に戻る。
【０３０７】
（ステップＳ１２０５）端末受付部Ｈ１２は、動作開始指示を受け付けたか否かを判断する。動作開始指示を受け付けた場合はステップＳ１２０６に行き、動作開始指示を受け付けなかった場合はステップＳ１２０１に戻る。
【０３０８】
（ステップＳ１２０６）端末処理部Ｈ１３は、ステップＳ１２０５で受け付けた動作開始指示を、送信する動作開始指示の構造にする。次に、端末送信部Ｈ１４は、動作開始指示を情報処理装置Ｈ２に送信する。
【０３０９】
（ステップＳ１２０７）端末受信部Ｈ１５は、情報処理装置Ｈ２から動作完了通知を受信したか否かを判断する。動作完了通知を受信した場合はステップＳ１２０８に行き、動作完了通知を受信しなかった場合はステップＳ１２０７に戻る。
【０３１０】
（ステップＳ１２０８）端末処理部Ｈ１３は、ステップＳ１２０７で受信された動作完了通知を出力する構造にする。端末出力部Ｈ１６は、当該動作完了通知を出力する。ステップＳ１２０１に戻る。
【０３１１】
なお、図１２のフローチャートにおいて、電源オフや処理終了の割り込みにより処理は終了する。
【０３１２】
次に、情報処理装置Ｈ２の動作例について、図１３、図１４のフローチャートを用いて説明する。
【０３１３】
（ステップＳ１３０１）受信部Ｈ２２は、動作開始指示を受信したか否かを判断する。動作開始指示を受信した場合はステップＳ１３０２に行き、動作開始指示を受信しなかった場合はステップＳ１３０９に行く。
【０３１４】
（ステップＳ１３０２）費用情報取得部Ｈ２３１は、カウンタｉに１を代入する。
【０３１５】
（ステップＳ１３０３）費用情報取得部Ｈ２３１は、ＬＰＧ情報格納部Ｈ２１１１に、ｉ番目の顧客識別子が存在するか否かを判断する。ｉ番目の顧客識別子が存在する場合はステップＳ１３０４に行き、ｉ番目の顧客識別子が存在しない場合はステップＳ１３０１に戻る。
【０３１６】
（ステップＳ１３０４）費用情報取得部Ｈ２３１は、ｉ番目の顧客識別子と対になるガス使用情報であり、費用の算出対象の期間のガス使用情報をＬＰＧ情報格納部Ｈ２１１１から取得する。なお、費用の算出対象の期間とは、例えば、特定の１ヶ月（例えば、２０１９年３月）、特定の３ヶ月（例えば、２０１９年４月〜６月）である。また、ここでは、費用の算出対象の期間は予め決まっており、かかる期間を特定する情報は、格納部Ｈ２１に格納されている、とする。そして、費用情報取得部Ｈ２３１は、格納部Ｈ２１に格納されている期間の情報に対応する日付情報と対になり、ｉ番目の顧客識別子と対になる１以上のガス使用情報をＬＰＧ情報格納部Ｈ２１１１から取得する。
【０３１７】
（ステップＳ１３０５）費用情報取得部Ｈ２３１は、価格情報を格納部Ｈ２１から読み出す。なお、格納部Ｈ２１の価格情報は、価格情報取得部Ｈ２３２が取得し、、格納部Ｈ２１に蓄積された情報である。
【０３１８】
（ステップＳ１３０６）費用情報取得部Ｈ２３１は、ステップＳ１３０４で取得したガス使用情報とステップＳ１３０５で取得した価格情報とを用いて、ｉ番目の顧客識別子により識別される顧客の費用を算出し、費用情報を取得する。なお、この費用は、上記の費用の算出対象の期間の費用である。
【０３１９】
（ステップＳ１３０７）費用情報取得部Ｈ２３１は、ｉ番目の顧客識別子に対応付けて、ステップＳ１３０６で取得した費用情報を出力する。ここでの出力は、例えば、端末装置Ｈ１への送信、図示しないバッファまたは格納部Ｈ２１への蓄積である。なお、ここで、出力部Ｈ２４は、動作完了通知を端末装置Ｈ１に送信しても良い。
【０３２０】
（ステップＳ１３０８）費用情報取得部Ｈ２３１は、カウンタｉを１、インクリメントする。ステップＳ１３０３に戻る。
【０３２１】
（ステップＳ１３０９）価格情報取得部Ｈ２３２は、価格を算出するタイミングであるか否かを判断する。価格を算出するタイミングであればステップＳ１３１０に行き、価格を算出するタイミングでなければステップＳ１３１４に行く。なお、価格を算出するタイミングは、例えば、端末装置Ｈ１からの価格算出の指示の受信、予め決められた時（例えば、１ヶ月ごと、１年ごとなど）である。
【０３２２】
（ステップＳ１３１０）価格情報取得部Ｈ２３２は、費用算出元情報格納部Ｈ２１２に格納されている費用算出元情報を取得する。費用算出元情報は、例えば、原材料費情報、配送費用情報を含む。
【０３２３】
（ステップＳ１３１１）価格情報取得部Ｈ２３２は、価格決定の予め決められた期間の２以上の世帯のガス使用情報を取得する。そして、価格情報取得部Ｈ２３２は、当該２以上の世帯のガス使用情報を加算し、ＬＰＧの総使用量を取得する。なお、ここでは、ガス使用情報は、ＬＰＧの使用量を特定する情報である、とする。なお、価格決定の予め決められた期間を特定する情報は、例えば、格納部Ｈ２１に格納されている。
【０３２４】
（ステップＳ１３１２）価格情報取得部Ｈ２３２は、ステップＳ１３１０で取得した費用算出元情報、ステップＳ１３１１で取得したＬＰＧの総使用量、および格納部Ｈ２１の利益情報を用いて、価格情報を算出する。
【０３２５】
（ステップＳ１３１３）価格情報取得部Ｈ２３２は、ステップＳ１３１２で算出した価格情報を格納部Ｈ２１に蓄積する。ステップＳ１３０１に戻る。
【０３２６】
（ステップＳ１３１４）総合使用情報算出部Ｈ２３４は、事業者別の総合使用情報を取得するタイミングであるか否かを判断する。総合使用情報を取得するタイミングであればステップＳ１３１５に行き、総合使用情報を取得するタイミングでなければステップＳ１３２２に行く。事業者別の総合使用情報を取得するタイミングは、例えば、端末装置Ｈ１からの事業者別の総合使用情報を取得する指示の受信、予め決められた時（例えば、１ヶ月ごと、半年ごと、１年ごとなど）である。
【０３２７】
（ステップＳ１３１５）総合使用情報算出部Ｈ２３４は、カウンタｉに１を代入する。
【０３２８】
（ステップＳ１３１６）総合使用情報算出部Ｈ２３４は、格納部Ｈ２１（例えば、事業者情報格納部Ｈ２１６）に、ｉ番目の事業者識別子が存在するか否かを判断する。ｉ番目の事業者識別子が存在する場合はステップＳ１３１７に行き、ｉ番目の事業者識別子が存在しない場合はステップＳ１３０１に戻る。
【０３２９】
（ステップＳ１３１７）総合使用情報算出部Ｈ２３４は、総合使用情報取得処理を行う。総合使用情報取得処理の例について、図１５のフローチャートを用いて説明する。
【０３３０】
（ステップＳ１３１８）総合費用情報取得部Ｈ２３５は、共通単位価格情報格納部Ｈ２１４から、共通単位価格情報を読み出す。
【０３３１】
（ステップＳ１３１９）総合費用情報取得部Ｈ２３５は、ステップＳ１３１７で取得した総合使用情報とステップＳ１３１８で読み出した共通単位価格情報とを用いて、総合費用情報を算出する。
【０３３２】
（ステップＳ１３２０）総合費用情報出力部Ｈ２４１は、ｉ番目の事業者識別子に対応付けて、ステップＳ１３１９で取得した総合費用情報を格納部Ｈ２１に蓄積する。
【０３３３】
（ステップＳ１３２１）総合使用情報算出部Ｈ２３４は、カウンタｉを１、インクリメントする。ステップＳ１３１６に戻る。
【０３３４】
（ステップＳ１３２２）差異情報取得部Ｈ２３６は、差異情報を取得するタイミングであるか否かを判断する。差異情報を取得するタイミングであればステップＳ１３２３に行き、差異情報を取得するタイミングでなければステップＳ１３２８に行く。差異情報を取得するタイミングは、例えば、端末装置Ｈ１からの差異情報を取得する指示の受信、予め決められた時（例えば、１日ごと、１ヶ月ごと、半年ごと、１年ごとなど）である。
【０３３５】
（ステップＳ１３２３）差異情報取得部Ｈ２３６は、カウンタｉに１を代入する。
【０３３６】
（ステップＳ１３２４）差異情報取得部Ｈ２３６は、格納部Ｈ２１（例えば、使用権利情報格納部Ｈ２１５）にｉ番目の媒体識別子が存在するか否かを判断する。ｉ番目の媒体識別子が存在すればステップＳ１３２５に行き、ｉ番目の媒体識別子が存在しなければステップＳ１３０１に戻る。
【０３３７】
（ステップＳ１３２５）差異情報取得部Ｈ２３６は、差異情報取得処理を行う。差異情報取得処理の例について、図１６のフローチャートを用いて説明する。
【０３３８】
（ステップＳ１３２６）差異情報取得部Ｈ２３６は、ｉ番目の媒体識別子に対応付けて、ステップＳ１３２５で取得した差異情報を格納部Ｈ２１に蓄積する。
【０３３９】
（ステップＳ１３２７）差異情報取得部Ｈ２３６は、カウンタｉを１、インクリメントする。ステップＳ１３２４に戻る。
【０３４０】
（ステップＳ１３２８）取引処理部Ｈ２３７は、先物取引市場を構成するタイミングであるか否かを判断する。先物取引市場を構成するタイミングであればステップＳ１３２９に行き、先物取引市場を構成するタイミングでなければステップＳ１３０１に戻る。先物取引市場を構成するタイミングは、例えば、端末装置Ｈ１からの先物取引市場を構成する指示の受信、予め決められた時（例えば、１日ごと、１ヶ月ごと、半年ごと、１年ごとなど）である。
【０３４１】
（ステップＳ１３２９）取引処理部Ｈ２３７は、カウンタｉに１を代入する。
【０３４２】
（ステップＳ１３３０）取引処理部Ｈ２３７は、先物取引市場を構成するｉ番目の日が存在するか否かを判断する。ステップＳ１３０１に戻る。なお、先物取引市場を構成する１以上の日を特定する１以上の日付情報は、予め格納部Ｈ２１に格納されている、とする。
【０３４３】
（ステップＳ１３３１）取引処理部Ｈ２３７は、使用情報取得処理を行い、需要予測に用いる総合的なエネルギーの使用量の総和を示す使用情報を取得する。使用情報取得処理の例について、図１７のフローチャートを用いて説明する。
【０３４４】
（ステップＳ１３３２）取引処理部Ｈ２３７は、先物取引に使用する１以上の日の日付情報に対応する天候情報を、天候情報格納部Ａ２１５から取得する。なお、１以上の日の日付情報は、例えば、予め決められた開始日（例えば、本日、明日、ｉ番目の日の１ヶ月前）からｉ番目の日までの期間の日の日付情報である。また、天候情報は、天気予報の情報であることは好適であるが、天気の実績の情報でも良い。
【０３４５】
（ステップＳ１３３３）取引処理部Ｈ２３７は、価格情報取得処理を行う。価格情報取得処理の例について、図１８のフローチャートを用いて説明する。
【０３４６】
（ステップＳ１３３４）取引処理部Ｈ２３７は、ステップＳ１３３３で取得した価格情報を、１以上の日の日付情報に対応付けて出力する。なお、ここでの出力とは、例えば、格納部Ｈ２１への蓄積、サーバ装置Ｈ３への送信、端末装置Ｈ１への送信等である。
【０３４７】
（ステップＳ１３３５）取引処理部Ｈ２３７は、カウンタｉを１、インクリメントする。ステップＳ１３３０に戻る。
【０３４８】
なお、図１３、図１４のフローチャートにおいて、事業者に対する総合使用情報、総合費用情報を取得し、蓄積した。しかし、顧客ごとの総合使用情報、総合費用情報を取得し、蓄積しても良い。
【０３４９】
また、図１３、図１４のフローチャートにおいて、電源オフや処理終了の割り込みにより処理は終了する。
【０３５０】
次に、ステップＳ１３３７の総合使用情報取得処理の例について、図１５のフローチャートを用いて説明する。
【０３５１】
（ステップＳ１５０１）総合使用情報算出部Ｈ２３４は、着目する事業者識別子（ｉ番目の事業者識別子）と対になる１以上の顧客識別子を事業者情報格納部Ｈ２１６から取得する。
【０３５２】
（ステップＳ１５０２）総合使用情報算出部Ｈ２３４は、カウンタｊに１を代入する。
【０３５３】
（ステップＳ１５０３）総合使用情報算出部Ｈ２３４は、ステップＳ１５０１で取得した１以上の顧客識別子の中で、ｊ番目の顧客識別子が存在するか否かを判断する。ｊ番目の顧客識別子が存在すればステップＳ１５０４に行き、ｊ番目の顧客識別子が存在しなければステップＳ１５１３に行く。
【０３５４】
（ステップＳ１５０４）総合使用情報算出部Ｈ２３４は、カウンタｋに１を代入する。
【０３５５】
（ステップＳ１５０５）総合使用情報算出部Ｈ２３４は、変換情報格納部Ｈ２１３に、ｋ番目の媒体識別子が存在するか否かを判断する。ｋ番目の媒体識別子が存在すればステップＳ１５０６に行き、ｋ番目の媒体識別子が存在しなければステップＳ１５１１に行く。
【０３５６】
（ステップＳ１５０６）総合使用情報算出部Ｈ２３４は、予め決められた期間の日付情報と対になり、ｋ番目の媒体識別子と対になる１以上の媒体使用情報を媒体情報格納部Ｈ２１１から取得する。なお、予め決められた期間は、総合使用情報を取得する対象の期間である。
【０３５７】
（ステップＳ１５０７）総合使用情報算出部Ｈ２３４は、ｋ番目の媒体識別子と対になる変換情報を変換情報格納部Ｈ２１３から取得する。
【０３５８】
（ステップＳ１５０８）総合使用情報算出部Ｈ２３４は、ステップＳ１５０６で取得した１以上の媒体使用情報とステップＳ１５０７で取得した変換情報とを用いて、ｋ番目の媒体識別子で識別されるエネルギー媒体の使用量を共通単位の使用量に変換した共通単位使用情報を取得する。
【０３５９】
なお、例えば、総合使用情報算出部Ｈ２３４は、ステップＳ１５０６で取得した１以上の媒体使用情報から、ｋ番目の媒体識別子で識別されるエネルギー媒体の総使用量を取得する。そして、総合使用情報算出部Ｈ２３４は、総使用量と変換情報とを用いて、共通単位使用情報を取得する。
【０３６０】
なお、総合使用情報算出部Ｈ２３４は、例えば、総使用量と変換情報とを乗算し、共通単位使用情報を取得する。なお、かかる場合、変換情報は、ｋ番目の媒体識別子で識別されるエネルギー媒体の量の単位（例えば、ｍ３、ｋＷ）を共通のエネルギー媒体（例えば、ＪＯＵＬＥ）に変換するための係数である。
【０３６１】
（ステップＳ１５０９）総合使用情報算出部Ｈ２３４は、ステップＳ１５０８で取得した共通単位使用情報を、ｋ番目の媒体識別子に対応付けて、格納部Ｈ２１に蓄積する。
【０３６２】
（ステップＳ１５１０）総合使用情報算出部Ｈ２３４は、カウンタｋを１、インクリメントする。ステップＳ１５０５に戻る。
【０３６３】
（ステップＳ１５１１）総合使用情報算出部Ｈ２３４は、ステップＳ１５０９で蓄積した２以上の共通単位使用情報により特定される共通単位の使用量を加算し、総合使用情報を取得し、格納部Ｈ２１に少なくとも一時蓄積する。
【０３６４】
（ステップＳ１５１２）総合使用情報算出部Ｈ２３４は、カウンタｊを１、インクリメントする。ステップＳ１５０３に戻る。
【０３６５】
（ステップＳ１５１３）総合使用情報算出部Ｈ２３４は、ステップＳ１５１１で蓄積した１以上の総合使用情報を加算し、当該事業者に対する総合使用情報を取得する。上位処理にリターンする。
【０３６６】
次に、ステップＳ１３２５の差異情報取得処理の例について、図１６のフローチャートを用いて説明する。
【０３６７】
（ステップＳ１６０１）差異情報取得部Ｈ２３６は、予め決められた期間の日付情報と対になり、ｉ番目の媒体識別子と対になる１以上の媒体使用情報を媒体情報格納部Ｈ２１１から取得する。なお、予め決められた期間は、差異情報を取得するために使用される期間である。予め決められた期間を特定する情報は、例えば、格納部Ｈ２１に格納されている。
【０３６８】
（ステップＳ１６０２）差異情報取得部Ｈ２３６は、ｉ番目の媒体識別子と対になる変換情報を変換情報格納部Ｈ２１３から取得する。
【０３６９】
（ステップＳ１６０３）差異情報取得部Ｈ２３６は、ステップＳ１６０１で取得した１以上の媒体使用情報とステップＳ１６０２で取得した変換情報とを用いて、共通単位使用情報を取得する。
【０３７０】
（ステップＳ１６０４）差異情報取得部Ｈ２３６は、ｉ番目の媒体識別子と対になる使用権利情報を使用権利情報格納部Ｈ２１５から取得する。
【０３７１】
（ステップＳ１６０５）差異情報取得部Ｈ２３６は、ステップＳ１６０３で取得した共通単位使用情報とステップＳ１６０４で取得した使用権利情報とを用いて、差異情報を取得する。上位処理にリターンする。
【０３７２】
差異情報取得部Ｈ２３６は、例えば、演算式「差異情報＝使用権利情報−共通単位使用情報」により、差異情報を取得する。なお、かかる演算式は、格納部Ｈ２１に格納されている、とする。
【０３７３】
次に、ステップＳ１３３１の使用情報取得処理の例について、図１７のフローチャートを用いて説明する。
【０３７４】
（ステップＳ１７０１）取引処理部Ｈ２３７は、カウンタｊに１を代入する。
【０３７５】
（ステップＳ１７０２）取引処理部Ｈ２３７は、格納部Ｈ２１（例えば、変換情報格納部Ｈ２１３)に、ｊ番目の媒体識別子が存在するか否かを判断する。ｊ番目の媒体識別子が存在すればステップＳ１７０３に行き、ｊ番目の媒体識別子が存在しなければステップＳ１７０８に行く。
【０３７６】
（ステップＳ１７０３）取引処理部Ｈ２３７は、予め決められた期間の日付情報と対になり、ｊ番目の媒体識別子と対になる１以上の媒体使用情報を媒体情報格納部Ｈ２１１から取得する。なお、予め決められた期間は、先物取引のための使用情報を取得する対象の期間である。
【０３７７】
（ステップＳ１７０４）取引処理部Ｈ２３７は、ｊ番目の媒体識別子と対になる変換情報を変換情報格納部Ｈ２１３から取得する。
【０３７８】
（ステップＳ１７０５）取引処理部Ｈ２３７は、ステップＳ１７０３で取得した１以上の媒体使用情報とステップＳ１７０４で取得した変換情報とを用いて、共通単位使用情報を取得する。
【０３７９】
なお、例えば、取引処理部Ｈ２３７は、ステップＳ１７０３で取得した１以上の媒体使用情報から、ｊ番目の媒体識別子で識別されるエネルギー媒体の総使用量を取得する。そして、取引処理部Ｈ２３７は、総使用量と変換情報とを乗算し、共通単位使用情報を取得する。なお、かかる場合、変換情報は、ｊ番目の媒体識別子で識別されるエネルギー媒体の量の単位（例えば、ｍ３、ｋＷ）を共通のエネルギー媒体（例えば、ＪＯＵＬＥ）に変換するための係数である。
【０３８０】
（ステップＳ１７０６）取引処理部Ｈ２３７は、ステップＳ１７０５で取得した共通単位使用情報を、ｊ番目の媒体識別子に対応付けて、格納部Ｈ２１に蓄積する。
【０３８１】
（ステップＳ１７０７）取引処理部Ｈ２３７は、カウンタｊを１、インクリメントする。ステップＳ１７０２に戻る。
【０３８２】
（ステップＳ１７０８）取引処理部Ｈ２３７は、ステップＳ１７０６で蓄積した２以上の共通単位使用情報により特定される共通単位の使用量を加算し、総合的な使用情報を取得する。上位処理にリターンする。
【０３８３】
次に、ステップＳ１３３３の価格情報取得処理の例について、図１８のフローチャートを用いて説明する。
【０３８４】
（ステップＳ１８０１）需要予測手段Ｈ２３２１は、需要予測処理を行う。需要予測処理の例について、図１９のフローチャートを用いて説明する。
【０３８５】
（ステップＳ１８０２）価格情報取得手段Ｈ２３２２は、ステップＳ１８０１における需要予測処理の結果である予測需要量を用いて、基準となる価格情報を取得する。なお、価格情報取得手段Ｈ２３２２は、例えば、予測需要量をパラメータとする増加関数に、予測需要量を代入し、当該関数を実行し、価格情報を取得する。また、価格情報取得手段Ｈ２３２２は、例えば、予測需要量と対になる価格情報を対応表から取得する。かかる場合、対応表は、例えば、予測需要量の幅と価格情報とを有する２以上の対応情報を有する。
【０３８６】
（ステップＳ１８０３）価格情報取得手段Ｈ２３２２は、取得された天候情報が、価格情報を補正する必要のある情報であるか否かを判断する。天候情報がかかる情報である場合（例えば、気温が標準より閾値以上高い場合、気温が標準より閾値以上低い場合）はステップＳ１８０４に行き、かかる情報でない場合はステップＳ１８０５に行く。
【０３８７】
（ステップＳ１８０４）価格情報取得手段Ｈ２３２２は、価格情報を修正する。なお、価格情報取得手段Ｈ２３２２は、天候情報に応じて、異なる値に価格情報を修正することは好適である。
【０３８８】
（ステップＳ１８０５）価格情報取得手段Ｈ２３２２は、カウンタｉに１を代入する。
【０３８９】
（ステップＳ１８０６）価格情報取得手段Ｈ２３２２は、格納部Ｈ２１の関連情報の中に、ｉ番目の関連情報が存在するか否かを判断する。ｉ番目の関連情報が存在する場合はステップＳ１８０７に行き、ｉ番目の関連情報が存在しない場合は上位処理にリターンする。
【０３９０】
（ステップＳ１８０７）価格情報取得手段Ｈ２３２２は、ｉ番目の関連情報を格納部Ｈ２１から取得し、当該ｉ番目の関連情報が、価格情報の補正を必要とする情報であるか否かを判断する。価格情報の補正を必要とする情報である場合はステップＳ１８０８に行き、価格情報の補正を必要とする情報でない場合はステップＳ１８０９に行く。
【０３９１】
（ステップＳ１８０８）価格情報取得手段Ｈ２３２２は、価格情報を修正する。なお、価格情報取得手段Ｈ２３２２は、関連情報に応じて、異なる値に価格情報を修正することは好適である。
【０３９２】
（ステップＳ１８０９）価格情報取得手段Ｈ２３２２は、カウンタｉを１、インクリメントする。ステップＳ１８０６に戻る。
【０３９３】
次に、ステップＳ１８０１の需要予測処理の例について、図１９のフローチャートを用いて説明する。
【０３９４】
（ステップＳ１９０１）需要予測手段Ｈ２３２１は、需要予測に用いる使用情報を取得する。なお、かかる使用情報は、ステップＳ１３３１で取得された使用情報である。
【０３９５】
（ステップＳ１９０２）需要予測手段Ｈ２３２１は、格納されている学習器を格納部Ｈ２１から取得する。
【０３９６】
（ステップＳ１９０３）需要予測手段Ｈ２３２１は、ステップＳ１９０１で取得した使用情報、ステップＳ１９０２で取得した学習器を用いて、機械学習のアルゴリズムにより、予測需要量を取得する。上位処理にリターンする。
【０３９７】
なお、図１９のフローチャートにおいて、機械学習のアルゴリズムを用いたが、上述したように機械学習のアルゴリズムを用いずに、予測需要量を取得しても良い。
【０３９８】
また、図１９のフローチャートにおいて、学習器を構成する処理は上述したので、ここでの説明は省略する。
【０３９９】
次に、サーバ装置Ｈ３の動作例について、図２０のフローチャートを用いて説明する。
【０４００】
（ステップＳ２００１）サーバ受信部Ｈ３３は、購入指示を端末装置Ｈ１から受信したか否かを判断する。購入指示を受信した場合はステップＳ２００２に行き、受信しなかった場合はステップＳ２００１に戻る。
【０４０１】
（ステップＳ２００２）先物取引手段Ｈ３４１は、購入指示に含まれる日付情報、数量情報等を取得する。日付情報、数量情報等とは、例えば、日付情報、数量情報、ユーザ識別子である。
【０４０２】
（ステップＳ２００３）先物取引手段Ｈ３４１は、ステップＳ２００２で取得した日付情報と対になる価格情報をサーバ格納部Ｈ３１から取得する。
【０４０３】
（ステップＳ２００４）先物取引手段Ｈ３４１は、ユーザ識別子、価格情報、数量情報、日付情報を有する先物取引情報を構成する。そして、サーバ処理部Ｈ３４は、先物取引情報をサーバ格納部Ｈ３１に蓄積する。なお、例えば、蓄積された物取引情報を用いて、後日、取引のための処理が行われる。
【０４０４】
（ステップＳ２００５）価格変更手段Ｈ３４２は、サーバ格納部Ｈ３１に格納されている価格情報を変更するか否かを判断する。価格情報を変更すると判断した場合はステップＳ２００６に行き、価格情報を変更しないと判断した場合はステップＳ２００８に行く。
【０４０５】
なお、価格変更手段Ｈ３４２は、例えば、該当する日の取引量を、当該日の日付情報と対になる１以上の数量情報を用いて取得し、当該取引量が閾値以上または閾値より多いと判断した場合は、価格情報を変更すると判断する。価格変更手段Ｈ３４２は、例えば、購入指示の受信の度に、価格情報を変更すると判断する。価格変更手段Ｈ３４２は、例えば、閾値以上の期間、取引が無い日の価格情報を変更すると判断する。
【０４０６】
（ステップＳ２００６）価格変更手段Ｈ３４２は、変更する価格情報を取得する。なお、価格変更手段Ｈ３４２は、該当する日の取引量が多いほど、高い価格となるように価格情報を変更することは好適である。
【０４０７】
（ステップＳ２００７）価格変更手段Ｈ３４２は、日付情報に対応付けて、更新した価格情報を蓄積する。
【０４０８】
（ステップＳ２００８）サーバ送信部Ｈ３５は、先物取引処理の完了通知を端末装置Ｈ１に送信する。ステップＳ２００１に戻る。
【０４０９】
なお、図２０のフローチャートにおいて、電源オフや処理終了の割り込みにより処理は終了する。
【０４１０】
以上、本実施の形態によれば、ＬＰＧの使用量に応じた費用の算出が可能になる。さらに具体的には、本実施の形態によれば、事業者が担当する１以上の顧客のＬＰＧの使用量に応じた費用であり、事業者に対する費用の算出が可能になる。
【０４１１】
また、本実施の形態によれば、ＬＰＧの使用量に応じた費用が適切に取得できる。
【０４１２】
また、本実施の形態によれば、ＬＰＧを含む２種類以上のエネルギー媒体の総合的な使用量が取得できる。
【０４１３】
また、本実施の形態によれば、ＬＰＧを含む２種類以上のエネルギー媒体の総合的な使用量に応じた費用が取得できる。
【０４１４】
また、本実施の形態によれば、異なるエネルギー媒体の間におけるエネルギーを使用する権利の取引が可能となる。
【０４１５】
また、本実施の形態によれば、天候情報を用いて、エネルギーの価格を自動決定できる。
【０４１６】
さらに、本実施の形態によれば、エネルギーの先物取引がより適切にできる。
【０４１７】
なお、本実施の形態における処理は、ソフトウェアで実現しても良い。そして、このソフトウェアをソフトウェアダウンロード等により配布しても良い。また、このソフトウェアをＣＨ−ＲＯＭなどの記録媒体に記録して流布しても良い。なお、このことは、本明細書における他の実施の形態においても該当する。なお、本実施の形態における情報処理装置Ｈ２を実現するソフトウェアは、以下のようなプログラムである。つまり、このプログラムは、時を特定する時情報と顧客を識別する顧客識別子とに対応付けられて、ＬＰＧボンベにおけるガスの使用に関するガス使用情報を含む２以上のＬＰＧ情報が格納されるＬＰＧ情報格納部にアクセス可能なコンピュータを、顧客識別子に対応付けられたＬＰＧ情報を受信するＬＰＧ情報受信部と、前記ＬＰＧ情報受信部が受信したＬＰＧ情報を時情報と顧客識別子とに対応付けて前記ＬＰＧ情報格納部に蓄積するＬＰＧ情報蓄積部と、前記ＬＰＧ情報格納部の２以上のＬＰＧ情報を用いて、顧客ごとに、ＬＰＧの使用量に応じた費用を特定する費用情報を取得する費用情報取得部と、前記費用情報取得部が取得した費用情報を顧客識別子に対応付けて出力する費用情報出力部として機能させるためのプログラムである。
【０４１８】
また、本実施の形態におけるサーバ装置Ｈ３を実現するソフトウェアは、以下のようなプログラムである。つまり、このプログラムは、情報処理装置Ｈ２の権利出力手段Ｈ２３７２が出力した使用権利情報と価格情報とを対応付けて格納されるサーバ格納部にアクセス可能なコンピュータを、前記サーバ格納部に格納されている使用権利情報と価格情報とを出力するサーバ出力部と、ユーザ識別子とエネルギーの量を特定する量情報とを有する購入指示を受信するサーバ受信部と、前記購入指示に応じて、前記量情報が特定する量のエネルギーを使用する権利を前記価格情報が特定する単価で購入予約するための先物取引処理を行うサーバ処理部として機能させるためのプログラムである。
【０４１９】
また、図２１は、本明細書で述べたプログラムを実行して、上述した種々の実施の形態の情報処理装置Ｈ２等を実現するコンピュータの外観を示す。上述の実施の形態は、コンピュータハードウェア及びその上で実行されるコンピュータプログラムで実現され得る。図２１は、このコンピュータシステム３００の概観図であり、図２２は、システム３００のブロック図である。
【０４２０】
図２１において、コンピュータシステム３００は、ＣＤ−ＲＯＭドライブを含むコンピュータ３０１と、キーボード３０２と、マウス３０３と、モニタ３０４とを含む。
【０４２１】
図２２において、コンピュータ３０１は、ＣＤ−ＲＯＭドライブ３０１２に加えて、ＭＰＵ３０１３と、ＣＤ−ＲＯＭドライブ３０１２等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０４２２】
コンピュータシステム３００に、上述した実施の形態の情報処理装置Ｈ２等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０４２３】
プログラムは、コンピュータ３０１に、上述した実施の形態の情報処理装置Ｈ２等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０４２４】
また、上記プログラムを実行するコンピュータは、単数であってもよく、複数であってもよい。すなわち、集中処理を行ってもよく、あるいは分散処理を行ってもよい。
【０４２５】
また、上記各実施の形態において、一の装置に存在する２以上の通信手段は、物理的に一の媒体で実現されても良いことは言うまでもない。
【０４２６】
また、上記各実施の形態において、各処理は、単一の装置によって集中処理されることによって実現されてもよく、あるいは、複数の装置によって分散処理されることによって実現されてもよい。
【０４２７】
本発明は、以上の実施の形態に限定されることなく、種々の変更が可能であり、それらも本発明の範囲内に包含されるものであることは言うまでもない。
【産業上の利用可能性】
【０４２８】
以上のように、本発明にかかる情報処理装置は、ＬＰＧボンベを配送した顧客において、ＬＰＧの使用量に応じた課金がなされるという効果を有し、サーバ装置等として有用である。
【符号の説明】
【０４２９】
Ａ１  ガス情報送信装置
Ａ２  情報処理装置
Ａ３  配送者端末
Ａ４  施設端末
Ａ１０  端末格納部
Ａ１１  端末処理部
Ａ１２  端末送信部
Ａ２１  格納部
Ａ２２  受信部
Ａ２３  処理部
Ａ２４  出力部
Ａ３１  配送者格納部
Ａ３２  配送者受付部
Ａ３３  配送者処理部
Ａ３４  配送者送信部
Ａ３５  配送者受信部
Ａ３６  配送者出力部
Ａ４１  施設格納部
Ａ４２  施設受付部
Ａ４３  施設処理部
Ａ４４  施設送信部
Ａ４５  施設受信部
Ａ４６  施設出力部
Ａ１１１  端末取得部
Ａ１１２  端末蓄積部
Ａ２１１  顧客情報格納部
Ａ２１２  ガス情報格納部
Ａ２１３  配送ボンベ情報格納部
Ａ２１４  配送車位置情報格納部
Ａ２１５  天候情報格納部
Ａ２２１  ガス情報受信部
Ａ２２２  配送ボンベ情報受信部
Ａ２２３  配送車位置情報受信部
Ａ２２４  天候情報受付部
Ａ２２５  ボンベ交換情報受信部
Ａ２３１  ガス情報蓄積部
Ａ２３２  配送ボンベ情報蓄積部
Ａ２３３  配送車位置情報蓄積部
Ａ２３４  天候情報蓄積部
Ａ２３５  ボンベ交換情報蓄積部
Ａ２４１  処理結果出力部
Ｈ１  端末装置
Ｈ２  情報処理装置
Ｈ３  サーバ装置
Ｈ１１  端末格納部
Ｈ１２  端末受付部
Ｈ１３  端末処理部
Ｈ１４  端末送信部
Ｈ１５  端末受信部
Ｈ１６  端末出力部
Ｈ２１  格納部
Ｈ２２  受信部
Ｈ２３  処理部
Ｈ２４  出力部
Ｈ３１  サーバ格納部
Ｈ３２  サーバ出力部
Ｈ３３  サーバ受信部
Ｈ３４  サーバ処理部
Ｈ３５  サーバ送信部
Ｈ２１１  媒体情報格納部
Ｈ２１２  費用算出元情報格納部
Ｈ２１３  変換情報格納部
Ｈ２１４  共通単位価格情報格納部
Ｈ２１５  使用権利情報格納部
Ｈ２２１  購入指示受付部
Ｈ２３１  費用情報取得部
Ｈ２３２  価格情報取得部
Ｈ２３３  共通単位使用情報取得部
Ｈ２３４  総合使用情報算出部
Ｈ２３５  総合費用情報取得部
Ｈ２３６  差異情報取得部
Ｈ２３７  取引処理部
Ｈ２４１  総合使用情報出力部
Ｈ２４２  費用情報出力部
Ｈ２４３  総合費用情報出力部
Ｈ３４１  先物取引手段
Ｈ３４２  価格変更手段
Ｈ２１１１  ＬＰＧ情報格納部
Ｈ２１１２  ＬＮＧ情報格納部
Ｈ２１１３  電気情報格納部
Ｈ２３２１  需要予測手段
Ｈ２３２２、Ｈ２３７１  価格情報取得手段
Ｈ２３７２  権利出力手段
【図１】
2020173706.tif 000003
【図２】
2020173706.tif 000004
【図３】
2020173706.tif 000005
【図４】
2020173706.tif 000006
【図５】
2020173706.tif 000007
【図６】
2020173706.tif 000008
【図７】
2020173706.tif 000009
【図８】
2020173706.tif 000010
【図９】
2020173706.tif 000011
【図１０】
2020173706.tif 000012
【図１１】
2020173706.tif 000013
【図１２】
2020173706.tif 000014
【図１３】
2020173706.tif 000015
【図１４】
2020173706.tif 000016
【図１５】
2020173706.tif 000017
【図１６】
2020173706.tif 000018
【図１７】
2020173706.tif 000019
【図１８】
2020173706.tif 000020
【図１９】
2020173706.tif 000021
【図２０】
2020173706.tif 000022
【図２１】
2020173706.tif 000023
【図２２】
2020173706.tif 000024